(57)【要約】      （修正有）【課題】分散型多入力多出力（ＭＩＭＯ）または協調マルチポイント（ＣｏＭＰ）通信を容易にするシステムを提供する。【解決手段】サービングセルおよび補助セルなどの複数のセルは、１つまたは複数の関連する端末との通信を行うために協調することができる。関連するコアネットワークは、それぞれのデータおよび／または制御シグナリングを他のセル（１つまたは複数）にトンネリングすることができる所与の端末と通信する単一のセルと、データおよび／または制御シグナリングを交換ことによって、ネットワークに対する変更を必要とせずに、ＣｏＭＰ通信を、コアネットワークにとってトランスペアレントにすることができる。端末は、サービングセルおよび／または補助セルと交換される他のデータに加えてまたはその代わりに、ＰＤＣＣＨ割当ておよび／または他の情報を、排他的にサービングセルと交換することができる。【選択図】図１
2014078989.tif 000002
【特許請求の範囲】
【請求項１】
サービングネットワークセルおよび補助ネットワークセルを識別することと、
制御情報を少なくとも前記サービングネットワークセルと交換することと、
前記サービングネットワークセルおよび前記補助ネットワークセルによって協調して行われる少なくとも１つの送信でデータを交換することと、
を備える方法。
【請求項２】
前記データを交換することは、前記少なくとも１つの送信で前記サービングネットワークセルおよび前記補助ネットワークセルとデータを交換することを備える、
請求項１に記載の方法。
【請求項３】
前記少なくとも１つの送信は、変調シンボルのセットに対応する、
請求項２に記載の方法。
【請求項４】
前記サービングネットワークセルおよび前記補助ネットワークセルは、それぞれのビームフォーミング重みを前記変調シンボルのセット内のそれぞれの変調シンボルに適用する、
請求項３に記載の方法。
【請求項５】
前記サービングネットワークセルまたは前記補助ネットワークセルのうちの少なくとも１つから前記サービングネットワークセルおよび前記補助ネットワークセルによって適用されるそれぞれのビームフォーミング重みを示す情報を受信することをさらに備える、
請求項４に記載の方法。
【請求項６】
前記データを交換することは、前記サービングネットワークセルと前記補助ネットワークセルとの間で実行される調整ビームフォーミングに基づいて、前記サービングネットワークセルまたは前記補助ネットワークセルのうちの１つとデータを交換することを備える、
請求項１に記載の方法。
【請求項７】
前記制御情報を交換することは、前記サービングネットワークセルからＰＤＣＣＨ（Physical Downlink Control Channel）割当て情報を受信することを備える、
請求項１に記載の方法。
【請求項８】
前記ＰＤＣＣＨ割当て情報は、ビーム方向情報を備える、
請求項７に記載の方法。
【請求項９】
ＰＤＣＣＨ割当て情報と異なる制御情報を前記サービングネットワークセルまたは前記補助ネットワークセルのうちの少なくとも１つと交換することをさらに備える、
請求項１に記載の方法。
【請求項１０】
前記制御情報を交換することは、前記サービングネットワークセルまたは前記補助ネットワークセルのうちの少なくとも１つと肯定応答（ＡＣＫ）情報を交換することを備える、
請求項１に記載の方法。
【請求項１１】
サービングネットワークセルおよび補助ネットワークセルに関連するデータを格納するメモリと、
制御シグナリングを少なくとも前記サービングネットワークセルと交換し、前記サービングネットワークセルおよび前記補助ネットワークセルによって協調して行われる少なくとも１つの送信でデータを交換するように構成されたプロセッサと、
を備えるワイヤレス通信装置。
【請求項１２】
前記プロセッサは、少なくとも１つの共同送信で前記サービングネットワークセルおよび前記補助ネットワークセルとデータを交換するようにさらに構成される、
請求項１１に記載のワイヤレス通信装置。
【請求項１３】
前記プロセッサは、前記サービングネットワークセルと前記補助ネットワークセルとの間で実行される調整ビームフォーミングに基づいて、前記サービングネットワークセルまたは前記補助ネットワークセルのうちの１つとデータを交換するようにさらに構成される、
請求項１１に記載のワイヤレス通信装置。
【請求項１４】
前記プロセッサは、ＰＤＣＣＨ（Physical Downlink Control Channel）割当て情報を前記サービングネットワークセルと交換するようにさらに構成される、
請求項１１に記載のワイヤレス通信装置。
【請求項１５】
前記プロセッサは、ＰＤＣＣＨ割当て情報と異なる制御情報を前記サービングネットワークセルまたは前記補助ネットワークセルのうちの少なくとも１つと交換するようにさらに構成される、
請求項１１に記載のワイヤレス通信装置。
【請求項１６】
前記プロセッサは、前記サービングネットワークセルまたは前記補助ネットワークセルのうちの少なくとも１つと肯定応答（ＡＣＫ）情報を交換するようにさらに構成される、
請求項１１に記載のワイヤレス通信装置。
【請求項１７】
サービングセルとの１つまたは複数の制御通信を行うための手段と、
１つまたは複数のデータ通信を行うための手段と、
を備え、それぞれのデータ通信は、前記サービングセルおよび少なくとも補助セルによって協調して実行される、
装置。
【請求項１８】
前記１つまたは複数のデータ通信を行うための手段は、前記サービングセルおよび少なくとも補助セルによって共同で行われる１つまたは複数の送信でデータを交換するための手段を備える、
請求項１７に記載の装置。
【請求項１９】
前記１つまたは複数のデータ通信を行うための手段は、前記サービングセルと前記補助セルとの間で実行される調整ビームフォーミングに基づいて前記サービングセルまたは前記補助セルのうちの１つとの１つまたは複数のデータ送信を行うための手段を備える、
請求項１７に記載の装置。
【請求項２０】
前記１つまたは複数の制御通信を行うための手段は、前記サービングセルからＰＤＣＣＨ（Physical Downlink Control Channel）割当て情報を受信するための手段を備える、
請求項１７に記載の装置。
【請求項２１】
前記１つまたは複数の制御通信を行うための手段は、前記サービングセルまたは補助セルのうちの少なくとも１つとの、ＰＤＣＣＨ割当て情報とは別個の制御情報の１つまたは複数の送信を行うための手段を備える、
請求項１７に記載の装置。
【請求項２２】
コンピュータに、サービングセルとの１つまたは複数の制御通信を行わせるコードと、
コンピュータに、１つまたは複数のデータ通信を行わせるコードと、
を備えるコンピュータ可読媒体、
を備え、それぞれのデータ通信は、前記サービングセルおよび少なくとも補助セルによって協調して実行される、
コンピュータプログラム製品。
【請求項２３】
コンピュータに１つまたは複数のデータ通信を行わせる前記コードは、コンピュータに、前記サービングセルおよび少なくとも補助セルによって共同で行われる１つまたは複数の送信でデータを交換させるコードを備える、
請求項２２に記載のコンピュータプログラム製品。
【請求項２４】
コンピュータに１つまたは複数のデータ通信を行わせる前記コードは、コンピュータに、前記サービングセルと補助セルとの間で実行される共同ビームフォーミングに基づいて前記サービングセルまたは前記補助セルのうちの１つとの１つまたは複数のデータ送信を行わせるコードを備える、
請求項２２に記載のコンピュータプログラム製品。
【請求項２５】
前記コンピュータに１つまたは複数の制御通信を行わせるコードは、コンピュータに、前記サービングセルからＰＤＣＣＨ（Physical Downlink Control Channel）割当て情報を受信させるコードを備える、
請求項２２に記載のコンピュータプログラム製品。
【請求項２６】
前記コンピュータに１つまたは複数の制御通信を行わせるコードは、コンピュータに、前記サービングセルまたは補助セルのうちの少なくとも１つとの、ＰＤＣＣＨ割当て情報とは別個の制御情報の１つまたは複数の送信を行わせるコードを備える、
請求項２２に記載のコンピュータプログラム製品。
【請求項２７】
少なくとも１つのユーザ機器ユニット（ＵＥ）と制御情報を交換することと、
前記少なくとも１つのＵＥと交換された前記制御情報を補助ネットワークセルに示すことと、
を備える方法。
【請求項２８】
前記交換することは、前記少なくとも１つのＵＥにＰＤＣＣＨ（Physical Downlink Control Channel）割当て情報を送信することを備える、
請求項２７に記載の方法。
【請求項２９】
前記少なくとも１つのＵＥに送信されるデータを識別することと、
前記補助ネットワークセルとの協調送信で、前記識別されたデータの少なくとも一部を前記少なくとも１つのＵＥに送信することと、
をさらに備える、請求項２７に記載の方法。
【請求項３０】
前記送信することは、
前記識別されたデータの少なくとも一部を前記補助ネットワークセルに供給することと、
前記補助ネットワークセルとの共同送信で、前記補助ネットワークセルに供給されたそれぞれのデータを前記少なくとも１つのＵＥに送信することと、
を備える、請求項２９に記載の方法。
【請求項３１】
前記供給することは、Ｘ２インターフェースを介してデータを前記補助ネットワークセルに供給することを備える、
請求項３０に記載の方法。
【請求項３２】
前記少なくとも１つのＵＥに対応する制御情報を前記補助ネットワークセルからバックホールインターフェースを介して受信することをさらに備える、
請求項２９に記載の方法。
【請求項３３】
前記バックホールインターフェースは、Ｘ２インターフェースである、
請求項３２に記載の方法。
【請求項３４】
前記少なくとも１つのＵＥに関する肯定応答（ＡＣＫ）情報を前記補助ネットワークセルから受信することと、
少なくとも部分的に前記受信されたＡＣＫ情報に基づいて、データまたは制御情報のうちの前記少なくとも１つに関する送信スケジュールを生成することと、
前記送信スケジュールに基づいて、指定された情報を送信することであって、前記指定された情報は、データまたは制御情報のうちの少なくとも１つを備える、送信することと、
をさらに備える、請求項２７に記載の方法。
【請求項３５】
少なくとも１つの端末および補助ネットワークセルに関連するデータを格納するメモリと、
前記少なくとも１つの端末と制御情報を交換し、交換された制御情報を前記補助ネットワークセルに示すように構成されたプロセッサと、
を備えるワイヤレス通信装置。
【請求項３６】
前記少なくとも１つの端末と交換される前記制御情報は、ＰＤＣＣＨ（Physical Downlink Control Channel）割当て情報を備える、
請求項３５に記載のワイヤレス通信装置。
【請求項３７】
前記プロセッサは、前記少なくとも１つの端末に送信されるデータを識別し、前記補助ネットワークセルとの協調送信で、前記識別されたデータの少なくとも一部を前記少なくとも１つの端末に送信するようにさらに構成される、
請求項３５に記載のワイヤレス通信装置。
【請求項３８】
前記プロセッサは、前記識別されたデータの少なくとも一部を前記補助ネットワークセルに供給し、前記補助ネットワークセルとの共同送信で、前記補助ネットワークセルに供給されたそれぞれのデータを送信するようにさらに構成される、
請求項３７に記載のワイヤレス通信装置。
【請求項３９】
前記プロセッサは、Ｘ２インターフェースを介してデータを前記補助ネットワークセルに供給するようにさらに構成される、
請求項３８に記載のワイヤレス通信装置。
【請求項４０】
前記プロセッサは、前記少なくとも１つの端末に対応する制御情報を前記補助ネットワークセルからバックホールインターフェースを介して受信するようにさらに構成される、
請求項３５に記載のワイヤレス通信装置。
【請求項４１】
前記バックホールインターフェースは、Ｘ２インターフェースである、
請求項４０に記載のワイヤレス通信装置。
【請求項４２】
少なくとも１つの端末との１つまたは複数の制御通信を行うための手段と、
前記１つまたは複数の制御通信を補助セルに示すための手段と、
を備える装置。
【請求項４３】
前記１つまたは複数の制御通信を行うための手段は、前記少なくとも１つの端末にＰＤＣＣＨ（Physical Downlink Control Channel）割当て情報を送信するための手段を備える、
請求項４２に記載の装置。
【請求項４４】
前記少なくとも１つの端末に通信されるデータを識別するための手段と、
前記補助セルとの少なくとも１つの協調送信で、前記少なくとも１つの端末に前記データを通信するための手段と、
をさらに備える、請求項４２に記載の装置。
【請求項４５】
前記データを通信するための前記手段は、
前記識別されたデータの少なくとも一部を前記補助セルに供給するための手段と、
前記補助セルとの少なくとも１つの共同送信で、前記補助セルに供給されたそれぞれのデータを通信するための手段と、
を備える、請求項４４に記載の装置。
【請求項４６】
バックホールリンクを使用して、データまたは制御シグナリングのうちの少なくとも１つを前記補助セルと交換するための手段をさらに備える、
請求項４２に記載の装置。
【請求項４７】
前記バックホールリンクは、Ｘ２インターフェースである、
請求項４６に記載の装置。
【請求項４８】
コンピュータに、少なくとも１つのユーザ機器ユニット（ＵＥ）との１つまたは複数の制御通信を行わせるコードと、
コンピュータに、前記１つまたは複数の制御通信を補助ネットワークセルに示させるコードと、
を備えるコンピュータ可読媒体、
を備えるコンピュータプログラム製品。
【請求項４９】
コンピュータに１つまたは複数の制御通信を行わせる前記コードは、コンピュータに、前記少なくとも１つのＵＥにＰＤＣＣＨ（Physical Downlink Control Channel）割当て情報を送信させるコードを備える、
請求項４８に記載のコンピュータプログラム製品。
【請求項５０】
前記コンピュータ可読媒体は、
コンピュータに、前記少なくとも１つのＵＥに通信されるデータを識別させるコードと、
コンピュータに、前記補助ネットワークセルとの少なくとも１つの協調送信で、前記データを前記少なくとも１つのＵＥに通信させるコードと、
をさらに備える、請求項４８に記載のコンピュータプログラム製品。
【請求項５１】
コンピュータに前記データを通信させる前記コードは、
コンピュータに、前記識別されたデータの少なくとも一部を前記補助ネットワークセルに供給させるコードと、
コンピュータに、前記補助ネットワークセルとの少なくとも１つの共同送信で、前記補助ネットワークセルに供給されたそれぞれのデータを通信させるコードと、
を備える、請求項５０に記載のコンピュータプログラム製品。
【請求項５２】
前記コンピュータ可読媒体は、コンピュータに、バックホールリンクを使用して、データまたは制御シグナリングのうちの少なくとも１つを前記補助ネットワークセルと交換させるコードをさらに備える、
請求項４８に記載のコンピュータプログラム製品。
【請求項５３】
少なくとも１つのユーザ機器ユニット（ＵＥ）に関連する制御情報を前記少なくとも１つのＵＥのサービングネットワークセルと交換することと、
前記交換された制御情報に従って通信することと、
を備える方法。
【請求項５４】
前記交換することは、前記少なくとも１つのＵＥに関連するＰＤＣＣＨ（Physical Downlink Control Channel）割当て情報を受信することを備える、
請求項５３に記載の方法。
【請求項５５】
前記通信することは、前記ＰＤＣＣＨ割当て情報と異なる制御情報を前記ＰＤＣＣＨ割当て情報に従って前記少なくとも１つのＵＥと交換することを備える、
請求項５４に記載の方法。
【請求項５６】
前記通信することは、
前記少なくとも１つのＵＥに送信されるデータを識別することと、
前記識別されたデータの少なくとも一部を前記交換された制御情報に従って前記少なくとも１つのＵＥに送信することと、
をさらに備える、請求項５４に記載の方法。
【請求項５７】
前記識別することは、前記少なくとも１つのＵＥに送信される前記データの少なくとも一部を前記少なくとも１つのＵＥの前記サービングネットワークセルから受信することを備える、
請求項５６に記載の方法。
【請求項５８】
前記識別することは、前記サービングネットワークセルからＸ２インターフェースを介してデータを受信することをさらに備える、
請求項５７に記載の方法。
【請求項５９】
前記送信することは、前記少なくとも１つのＵＥの前記サービングネットワークセルとの協調送信で、それぞれのデータを前記少なくとも１つのＵＥに送信することを備える、
請求項５７に記載の方法。
【請求項６０】
前記少なくとも１つのＵＥに関連する制御情報を生成することと、
前記少なくとも１つのＵＥの前記サービングネットワークセルに、前記サービングネットワークセルへのバックホールインターフェースを介して、前記生成された制御情報をトンネリングすることと、
をさらに備える、請求項５３に記載の方法。
【請求項６１】
前記バックホールインターフェースは、Ｘ２インターフェースである、
請求項６０に記載の方法。
【請求項６２】
前記交換することは、前記少なくとも１つのＵＥで観察される干渉に関連する制御情報を交換することを備え、
前記通信することは、
前記少なくとも１つのＵＥで観察される前記干渉が実質的に最小化されるように、１つまたは複数の送信パラメータを選択することと、
前記１つまたは複数の選択された送信パラメータに従って通信することと、
を備える、
請求項５３に記載の方法。
【請求項６３】
前記１つまたは複数の送信パラメータは、送信電力パラメータまたはビーム方向パラメータのうちの少なくとも１つを備える、
請求項６２に記載の方法。
【請求項６４】
少なくとも１つのユーザ機器ユニット（ＵＥ）および前記少なくとも１つのＵＥのサービングセルに関連するデータを格納するメモリと、
前記少なくとも１つのＵＥに関連する制御情報を前記サービングセルと交換し、前記交換された制御情報に従って通信するように構成されたプロセッサと、
を備えるワイヤレス通信装置。
【請求項６５】
前記交換される制御情報は、前記少なくとも１つのＵＥに関連するＰＤＣＣＨ（Physical Downlink Control Channel）割当て情報を備える、
請求項６４に記載のワイヤレス通信装置。
【請求項６６】
前記プロセッサは、前記少なくとも１つのＵＥに送信されるデータを識別し、前記交換された制御情報に従って、前記サービングセルとの協調送信で、前記少なくとも１つのＵＥに前記識別されたデータの少なくとも一部を送信するようにさらに構成される、
請求項６４に記載のワイヤレス通信装置。
【請求項６７】
前記プロセッサは、データまたは制御情報のうちの少なくとも１つをバックホールインターフェースを介して前記サービングセルと交換するようにさらに構成される、
請求項６４に記載のワイヤレス通信装置。
【請求項６８】
前記バックホールインターフェースは、Ｘ２インターフェースである、
請求項６７に記載のワイヤレス通信装置。
【請求項６９】
前記プロセッサは、前記少なくとも１つのＵＥで観察される干渉に関連する制御情報を前記サービングセルと交換し、前記少なくとも１つのＵＥで観察される前記干渉が実質的に最小化されるように、１つまたは複数の送信パラメータを選択し、前記１つまたは複数の選択された送信パラメータに従って通信するようにさらに構成される、
請求項６４に記載のワイヤレス通信装置。
【請求項７０】
少なくとも１つの端末に関連する制御情報の、前記少なくとも１つの端末のサービングセルとの１つまたは複数の通信を行うための手段と、
前記１つまたは複数の制御通信に少なくとも部分的に基づいて、それぞれの後続通信を管理するための手段と、
を備える装置。
【請求項７１】
前記制御情報の１つまたは複数の通信を行うための手段は、前記少なくとも１つの端末に関連するＰＤＣＣＨ（Physical Downlink Control Channel）割当て情報の１つまたは複数の通信を行うための手段を備える、
請求項７０に記載の装置。
【請求項７２】
前記それぞれの後続通信を管理するための手段は、
前記少なくとも１つの端末に送信されるデータを識別するための手段と、
制御情報の１つまたは複数の送信に従って、前記サービングセルとの協調送信で、前記少なくとも１つの端末に前記識別されたデータの少なくとも一部を送信するための手段と、
を備える、請求項７０に記載の装置。
【請求項７３】
データまたは制御情報のうちの少なくとも１つをバックホールインターフェースを介して前記サービングセルと交換するための手段をさらに備える、
請求項７０に記載の装置。
【請求項７４】
前記制御情報の１つまたは複数の通信を行うための手段は、前記少なくとも１つの端末で観察される干渉に関連する制御情報を交換するための手段を備え、
前記それぞれの後続通信を管理するための手段は、
前記少なくとも１つの端末で観察される前記干渉が実質的に最小化されるように、１つまたは複数の送信パラメータを選択するための手段と、
前記１つまたは複数の選択された送信パラメータに従って前記それぞれの後続通信を行うための手段と、
を備える、
請求項７０に記載の装置。
【請求項７５】
コンピュータに、少なくとも１つのユーザ機器ユニット（ＵＥ）に関連する制御情報の、前記少なくとも１つのＵＥのサービングネットワークセルとの１つまたは複数の通信を行わせるコードと、
コンピュータに、前記１つまたは複数の制御通信に少なくとも部分的に基づいてそれぞれの後続通信を管理させるコードと、
を備えるコンピュータ可読媒体、
を備えるコンピュータプログラム製品。
【請求項７６】
コンピュータに制御情報の１つまたは複数の通信を行わせる前記コードは、コンピュータに、前記少なくとも１つのＵＥに関連するＰＤＣＣＨ（Physical Downlink Control Channel）割当て情報の１つまたは複数の通信を行わせるコードを備える、
請求項７５に記載のコンピュータプログラム製品。
【請求項７７】
コンピュータにそれぞれの後続通信を管理させる前記コードは、
コンピュータに、前記少なくとも１つのＵＥに送信されるデータを識別させるコードと、
コンピュータに、前記サービングネットワークセルとの協調送信で、前記識別されたデータの少なくとも一部を前記少なくとも１つのＵＥに送信させるコードと、
をさらに備える、請求項７５に記載のコンピュータプログラム製品。
【請求項７８】
前記コンピュータ可読媒体は、コンピュータに、データまたは制御情報のうちの少なくとも１つをバックホールインターフェースを介して前記サービングネットワークセルと交換させるコードをさらに備える、
請求項７５に記載のコンピュータプログラム製品。
【請求項７９】
コンピュータに制御情報の１つまたは複数の通信を行わせるコードは、コンピュータに、前記少なくとも１つのＵＥで観察される干渉に関連する制御情報を交換させるコードを備え、
コンピュータにそれぞれの後続通信を管理させる前記コードは、
前記少なくとも１つのＵＥで観察される前記干渉が実質的に最小化されるように、コンピュータに、１つまたは複数の送信パラメータを選択させるコードと、
コンピュータに、前記１つまたは複数の選択された送信パラメータに従って前記それぞれの後続通信を行わせるコードと、
を備える、
請求項７５に記載のコンピュータプログラム製品。
【請求項８０】
情報の第１のセットを少なくとも１つのユーザ機器ユニット（ＵＥ）と交換することと、なお、前記情報の第１のセットは、制御シグナリングまたはデータのうちの少なくとも１つを備える、
情報の第２のセットをコアネットワークエンティティと交換すること、なお、前記情報の第２のセットは、制御シグナリングまたはデータのうちの少なくとも１つを備える、
前記情報の第１のセットまたは前記情報の第２のセットのうちの少なくとも１つを補助ネットワークセルに示すことと、
を備える方法。
【請求項８１】
前記情報の第２のセットを交換することは、前記少なくとも１つのＵＥに送信されるデータを前記コアネットワークエンティティから受信することを備える、
請求項８０に記載の方法。
【請求項８２】
前記補助ネットワークセルとの協調送信で、前記少なくとも１つのＵＥに送信されるデータを通信することをさらに備える、
請求項８１に記載の方法。
【請求項８３】
前記情報の第２のセットを交換することは、前記情報の第１のセットの少なくとも一部を前記コアネットワークエンティティと交換することを備える、
請求項８０に記載の方法。
【請求項８４】
前記情報の第２のセットを交換することは、前記情報の第２のセットをＳ１−Ｕインターフェースを介して前記コアネットワークエンティティと交換することを備える、
請求項８０に記載の方法。
【請求項８５】
前記情報の第１のセットまたは前記情報の第２のセットのうちの少なくとも１つは、ＰＤＣＣＨ（Physical Downlink Control Channel）割当て情報を備える、
請求項８０に記載の方法。
【請求項８６】
少なくとも１つのユーザ機器ユニット（ＵＥ）、関連するコアネットワーク、および補助ネットワークセルに関連するデータを格納するメモリと、
制御シグナリングまたはデータの第１のセットを前記少なくとも１つのＵＥと交換し、制御シグナリングまたはデータの第２のセットを前記関連するコアネットワークと交換し、前記制御シグナリングまたはデータの第１のセットあるいは前記制御シグナリングまたはデータの第２のセットの少なくとも一部を前記補助ネットワークセルに示すように構成されたプロセッサと、
を備えるワイヤレス通信装置。
【請求項８７】
前記プロセッサは、前記少なくとも１つのＵＥに送信されるデータを前記関連するコアネットワークと交換するようにさらに構成される、
請求項８６に記載のワイヤレス通信装置。
【請求項８８】
前記プロセッサは、前記補助ネットワークセルとの協調送信で、前記少なくとも１つのＵＥに送信されるデータを通信するようにさらに構成される、
請求項８７に記載のワイヤレス通信装置。
【請求項８９】
前記プロセッサは、前記少なくとも１つのＵＥと交換された前記制御シグナリングまたはデータの少なくとも一部を前記関連するコアネットワークに通信するようにさらに構成される、
請求項８６に記載のワイヤレス通信装置。
【請求項９０】
前記プロセッサは、Ｓ１−Ｕインターフェースを使用して制御シグナリングまたはデータを前記関連するコアネットワークと交換するようにさらに構成される、
請求項８６に記載のワイヤレス通信装置。
【請求項９１】
情報の第１のセットを少なくとも１つのユーザ機器ユニット（ＵＥ）と交換するための手段と、なお、前記情報の第１のセットは、制御シグナリングまたはデータのうちの少なくとも１つを備える、
情報の第２のセットをコアネットワークエンティティと交換するための手段と、なお、前記情報の第２のセットは、制御シグナリングまたはデータのうちの少なくとも１つを備える、
前記情報の第１のセットまたは前記情報の第２のセットのうちの少なくとも１つを補助ネットワークセルに示すための手段と、
を備える装置。
【請求項９２】
前記情報の第２のセットを交換するための手段は、前記少なくとも１つのＵＥに送信されるデータを前記コアネットワークエンティティから受信するための手段を備える、
請求項９１に記載の装置。
【請求項９３】
前記情報の第２のセットを交換するための手段は、前記情報の第１のセットの少なくとも一部を前記コアネットワークエンティティと交換するための手段を備える、
請求項９１に記載の装置。
【請求項９４】
コンピュータに、情報の第１のセットを少なくとも１つのユーザ機器ユニット（ＵＥ）と交換させるコードと、なお、前記情報の第１のセットは、制御シグナリングまたはデータのうちの少なくとも１つを備える、
コンピュータに、情報の第２のセットをコアネットワークと交換させるコードと、なお、前記情報の第２のセットは、制御シグナリングまたはデータのうちの少なくとも１つを備える、
コンピュータに、前記情報の第１のセットまたは前記情報の第２のセットのうちの少なくとも１つを補助ネットワークセルに示させるコードと、
を備えるコンピュータ可読媒体、
を備えるコンピュータプログラム製品。
【請求項９５】
前記コンピュータに情報の第２のセットを交換させるコードは、コンピュータに、前記少なくとも１つのＵＥに送信されるデータを前記コアネットワークから受信させるコードを備える、
請求項９４に記載のコンピュータプログラム製品。
【請求項９６】
前記コンピュータに情報の第２のセットを交換させるコードは、コンピュータに、情報の前記第１のセットの少なくとも一部を前記コアネットワークと交換させるコードを備える、
請求項９４に記載のコンピュータプログラム製品。
【請求項９７】
制御シグナリングまたはデータの第１のセットを少なくとも１つのユーザ機器ユニット（ＵＥ）と交換することと、
制御シグナリングまたはデータの第２のセットをコアネットワークエンティティと交換することと、
交換された制御シグナリングまたはデータの少なくとも１つの表示を前記少なくとも１つのＵＥのサービングネットワークセルに通信することと、
を備える方法。
【請求項９８】
前記制御シグナリングまたはデータの第２のセットを交換することは、前記少なくとも１つのＵＥに送信されるデータを前記コアネットワークエンティティから受信することを備える、
請求項９７に記載の方法。
【請求項９９】
前記少なくとも１つのＵＥの前記サービングネットワークセルとの協調送信で、前記少なくとも１つのＵＥにデータを送信することをさらに備える、
請求項９８に記載の方法。
【請求項１００】
前記制御シグナリングまたはデータの第２のセットを交換することは、前記制御シグナリングまたはデータの第１のセットの少なくとも一部を前記コアネットワークエンティティに中継することを備える、
請求項９７に記載の方法。
【請求項１０１】
前記制御シグナリングまたはデータの第２のセットを交換することは、前記制御シグナリングまたはデータの第２のセットをＳ１−Ｕインターフェースを介して前記コアネットワークエンティティと交換することを備える、
請求項９７に記載の方法。
【請求項１０２】
前記制御シグナリングまたはデータの第１のセットは、ＰＤＣＣＨ（Physical Downlink Control Channel）割当て情報と異なる制御シグナリングを備える、
請求項９７に記載の方法。
【請求項１０３】
少なくとも１つのユーザ機器ユニット（ＵＥ）、関連するコアネットワーク、およびサービングネットワークセルに関連するデータを格納するメモリと、
制御シグナリングまたはデータを前記少なくとも１つのＵＥと交換し、制御シグナリングまたはデータを前記関連するコアネットワークと交換し、前記少なくとも１つのＵＥまたは前記関連するコアネットワークと交換された前記制御シグナリングまたはデータの少なくとも一部を前記サービングネットワークセルに示すように構成されたプロセッサと、
を備えるワイヤレス通信装置。
【請求項１０４】
前記プロセッサは、前記少なくとも１つのＵＥに送信されるデータを前記関連するコアネットワークから入手するようにさらに構成される、
請求項１０３に記載のワイヤレス通信装置。
【請求項１０５】
前記プロセッサは、前記サービングネットワークセルとの協調送信で、前記少なくとも１つのＵＥに送信されるデータを通信するようにさらに構成される、
請求項１０４に記載のワイヤレス通信装置。
【請求項１０６】
前記プロセッサは、前記少なくとも１つのＵＥと交換された制御シグナリングまたはデータの少なくとも一部を前記関連するコアネットワークに通信するようにさらに構成される、
請求項１０３に記載のワイヤレス通信装置。
【請求項１０７】
制御シグナリングまたはデータの第１のセットを少なくとも１つのユーザ機器ユニット（ＵＥ）と交換するための手段と、
制御シグナリングまたはデータの第２のセットをコアネットワークと交換するための手段と、
交換された制御シグナリングまたはデータの少なくとも１つの表示を前記少なくとも１つのＵＥのサービングネットワークセルに通信するための手段と、
を備える装置。
【請求項１０８】
前記制御シグナリングまたはデータの第２のセットを交換するための手段は、前記少なくとも１つのＵＥに送信されるデータを前記コアネットワークから受信するための手段を備える、
請求項１０７に記載の装置。
【請求項１０９】
前記少なくとも１つのＵＥの前記サービングネットワークセルとの協調送信で前記少なくとも１つのＵＥにデータを送信するための手段をさらに備える、
請求項１０８に記載の装置。
【請求項１１０】
前記制御シグナリングまたはデータの第２のセットを交換するための手段は、前記制御シグナリングまたはデータの第１のセットの少なくとも一部を前記コアネットワークに中継するための手段を備える、
請求項１０７に記載の装置。
【請求項１１１】
コンピュータに、情報の第１のセットを少なくとも１つのユーザ機器ユニット（ＵＥ）と交換させるコードと、なお、前記情報の第１のセットは、制御シグナリングまたはデータのうちの少なくとも１つを備える、
コンピュータに、情報の第２のセットをコアネットワークと交換させるコードと、なお、前記情報の第２のセットは、制御シグナリングまたはデータのうちの少なくとも１つを備える、
コンピュータに、前記情報の第１のセットまたは前記情報の第２のセットの少なくとも一部をサービングネットワークセルに示させるコードと、
を備えるコンピュータ可読媒体、
を備えるコンピュータプログラム製品。
【請求項１１２】
コンピュータに情報の第２のセットを交換させる前記コードは、コンピュータに、前記少なくとも１つのＵＥに送信されるデータを前記コアネットワークから受信させるコードを備え、
コンピュータに情報の第１のセットを交換させる前記コードは、コンピュータに、前記サービングネットワークセルとの協調送信で前記少なくとも１つのＵＥに送信されるデータの少なくとも一部を通信させるコードを備える、
請求項１１１に記載のコンピュータプログラム製品。
【請求項１１３】
コンピュータに情報の第２のセットを交換させる前記コードは、コンピュータに、前記情報の第１のセットの少なくとも一部を前記コアネットワークと交換させるコードを備える、
請求項１１１に記載のコンピュータプログラム製品。
【発明の詳細な説明】
【関連出願】
【０００１】
本願は、その全体が参照によって本明細書に組み込まれている、２００８年８月１日に出願された「ＮＥＴＷＯＲＫ  ＡＲＣＨＩＴＥＣＴＵＲＥ  ＦＯＲ  ＤＩＳＴＲＩＢＵＴＥＤ  ＭＵＬＴＩＰＬＥ−ＩＮＰＵＴ  ＭＵＬＴＩＰＬＥ−ＯＵＴＰＵＴ  ＷＩＲＥＬＥＳＳ  ＣＯＭＭＵＮＩＣＡＴＩＯＮ」と題する米国仮出願第６１／０８５７６２号の利益を主張するものである。
【技術分野】
【０００２】
本開示は、一般にワイヤレス通信に関し、より具体的には、ワイヤレス通信システムでの協調送信（cooperative transmission）の技法に関する。
【背景技術】
【０００３】
ワイヤレス通信システムは、さまざまな通信サービスを提供するために幅広く展開され、たとえば、音声サービス、ビデオサービス、パケットデータサービス、ブロードキャストサービス、およびメッセージングサービスを、そのようなワイヤレス通信システムを介して提供することができる。これらのシステムは、使用可能なシステムリソースを共用することによって複数の端末のための通信をサポートできる多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
一般に、ワイヤレス多元接続通信システムは、複数のワイヤレス端末に関する通信を同時にサポートすることができる。そのようなシステムでは、各端末は、順方向リンクおよび逆方向リンク上での送信を介して１つまたは複数の基地局と通信することができる。順方向リンク（またはダウンリンク）は、基地局から端末への通信リンクを指し、逆方向リンク（またはアップリンク）は、端末から基地局への通信リンクを指す。この通信リンクを、単一入力単一出力（ＳＩＳＯ）システム、多入力単一出力（ＭＩＳＯ）システム、または多入力多出力（ＭＩＭＯ）システムを介して確立することができる。
【０００５】
ＭＩＭＯ通信システムでは、複数のソースおよび／または宛先（たとえば、それぞれのアンテナに対応する）を、通信システム内のデバイスの間でのデータ、制御シグナリング、および／または他の情報の送信および受信に利用することができる。ＭＩＭＯ通信システムに関連するそれぞれの送信に関する複数のソースおよび／または宛先の使用は、いくつかの場合に、単一入力および／または単一出力の通信システムより高いデータレート、改善された信号品質、および他のそのような利益をもたらすことが示されている。
【０００６】
ＭＩＭＯ通信システムの一例が、複数のセルがユーザ機器ユニット（ＵＥ）または類似物などの１つまたは複数の受信デバイスと情報を交換するために協調することができる、分散型ＭＩＭＯ（Ｄ−ＭＩＭＯ：Distributed MIMO）または協調マルチポイント（ＣｏＭＰ：Cooperative Multipoint）システムである。たとえば、ＣｏＭＰシステム内の同一のノードＢまたは異なるノードＢに関連するそれぞれのセルは、複数のパケットを複数のセルから送信できる共同処理（joint processing）および／または類似する技法を利用することによって協調することができる。しかし、ＣｏＭＰシステムを用いるこのシナリオおよび／または他のシナリオでは、それぞれのセルの間の効率的な協調を容易にするために、それぞれのセルの間でのパケット、制御シグナリング、および／または他の情報のルーティングのためのアーキテクチャおよび／または技法を実施することが望ましい。
【発明の概要】
【０００７】
次は、特許請求される主題のさまざまな態様の基本的な理解を提供するために、そのような態様の単純化された要約を提示するものである。この要約は、すべての企図された態様の広範囲の概要ではなく、そのような態様の主要な要素またはクリティカルな要素を識別することも、そのような態様の範囲を区切ることも意図されてはいない。その唯一の目的は、後で提示される、より詳細な説明の前置きとして、開示される態様のいくつかの概念を単純化された形で提示することである。
【０００８】
一態様によれば、本明細書では、方法が説明される。この方法は、サービングネットワークセル（serving network cell）および補助ネットワークセルを識別することと、制御情報を少なくともサービングネットワークセルと交換することと、サービングネットワークセルおよび補助ネットワークセルによって協調して行われる少なくとも１つの送信でデータを交換することと、を備えることができる。
【０００９】
本明細書で説明される第２の態様は、サービングネットワークセルおよび補助ネットワークセルに関連するデータを格納するメモリを備えることができるワイヤレス通信装置に関する。このワイヤレス通信装置は、制御シグナリングを少なくともサービングネットワークセルと交換し、サービングネットワークセルおよび補助ネットワークセルによって協調して行われる少なくとも１つの送信でデータを交換するように構成されたプロセッサをさらに備えることができる。
【００１０】
第３の態様は、サービングセルとの１つまたは複数の制御通信を行うための手段と、１つまたは複数のデータ通信を行うための手段と、を備え、それぞれのデータ通信は、サービングセルおよび少なくとも補助セルによって協調して実行される、ことができる装置に関する。
【００１１】
本明細書で説明される第４の態様は、コンピュータに、サービングセルとの１つまたは複数の制御通信を行わせるコードと、コンピュータに、１つまたは複数のデータ通信を行わせるコードと、を備えるコンピュータ可読媒体を含み、それぞれのデータ通信は、サービングセルおよび少なくとも補助セルによって協調して実行される、コンピュータプログラム製品に関する。
【００１２】
本明細書の第５の態様は、ワイヤレス通信環境内で動作可能な方法に関する。この方法は、少なくとも１つのユーザ機器ユニット（ＵＥ）と制御情報を交換することと、少なくとも１つのＵＥと交換された制御情報を補助ネットワークセルに示すことと、を備えることができる。
【００１３】
第６の態様は、少なくとも１つの端末および補助ネットワークセルに関連するデータを格納するメモリと、少なくとも１つの端末と制御情報を交換し、交換された制御情報を補助ネットワークセルに示すように構成されたプロセッサと、を備えることができるワイヤレス通信装置に関する。
【００１４】
本明細書で説明される第７の態様は、ワイヤレス通信システム内で動作可能な装置に関する。この装置は、少なくとも１つの端末との１つまたは複数の制御通信を行うための手段と、１つまたは複数の制御通信を補助セルに示すための手段と、を備えることができる。
【００１５】
第８の態様は、コンピュータに、少なくとも１つのＵＥとの１つまたは複数の制御通信を行わせるコードと、コンピュータに、１つまたは複数の制御通信を補助ネットワークセルに示させるコードと、を備えるコンピュータ可読媒体を含むことができるコンピュータプログラム製品に関する。
【００１６】
第９の態様は、少なくとも１つのＵＥに関連する制御情報を少なくとも１つのＵＥのサービングネットワークセルと交換する行為と、交換された制御情報に従って通信する行為と、を備えることができる方法に関する。
【００１７】
本明細書で説明される第１０の態様は、少なくとも１つのＵＥおよび少なくとも１つのＵＥのサービングセルに関連するデータを格納するメモリを備えることができるワイヤレス通信装置に関する。このワイヤレス通信装置は、少なくとも１つのＵＥに関連する制御情報をサービングセルと交換し、交換された制御情報に従って通信するように構成されたプロセッサをさらに備えることができる。
【００１８】
第１１の態様は、少なくとも１つの端末に関連する制御情報の、少なくとも１つの端末のサービングセルとの１つまたは複数の通信を行うための手段と、１つまたは複数の制御通信に少なくとも部分的に基づいて、それぞれの後続通信を管理するための手段と、を備えることができる装置に関する。
【００１９】
本明細書で説明される第１２の態様は、コンピュータに、少なくとも１つのＵＥに関連する制御情報の、少なくとも１つのＵＥのサービングネットワークセルとの１つまたは複数の通信を行わせるコードと、コンピュータに、１つまたは複数の制御通信に少なくとも部分的に基づいてそれぞれの後続通信を管理させるコードと、を備えるコンピュータ可読媒体を含むことができるコンピュータプログラム製品に関する。
【００２０】
第１３の態様は、情報の第１のセットを少なくとも１つのＵＥと交換することであって、情報の第１のセットは、制御シグナリングまたはデータのうちの少なくとも１つを備える、交換することと、情報の第２のセットをコアネットワークエンティティと交換することであって、情報の第２のセットは、制御シグナリングまたはデータのうちの少なくとも１つを備える、交換することと、情報の第１のセットまたは情報の第２のセットのうちの少なくとも１つを補助ネットワークセルに示すことと、を備えることができる方法に関する。
【００２１】
本明細書で説明される第１４の態様は、少なくとも１つのＵＥ、関連するコアネットワーク、および補助ネットワークセルに関連するデータを格納するメモリを備えることができるワイヤレス通信装置に関する。このワイヤレス通信装置は、制御シグナリングまたはデータの第１のセットを少なくとも１つのＵＥと交換し、制御シグナリングまたはデータの第２のセットを関連するコアネットワークと交換し、制御シグナリングまたはデータの第１のセットあるいは制御シグナリングまたはデータの第２のセットの少なくとも一部を補助ネットワークセルに示すように構成されたプロセッサをさらに備えることができる。
【００２２】
本明細書で説明される第１５の態様は、情報の第１のセットを少なくとも１つのＵＥと交換するための手段と、なお、情報の第１のセットは、制御シグナリングまたはデータのうちの少なくとも１つを備える、情報の第２のセットをコアネットワークエンティティと交換するための手段と、なお、情報の第２のセットは、制御シグナリングまたはデータのうちの少なくとも１つを備える、情報の第１のセットまたは情報の第２のセットのうちの少なくとも１つを補助ネットワークセルに示すための手段と、を備えることができる装置に関する。
【００２３】
本明細書の第１６の態様は、コンピュータに、情報の第１のセットを少なくとも１つのＵＥと交換させるコードと、なお、情報の第１のセットは、制御シグナリングまたはデータのうちの少なくとも１つを備える、コンピュータに、情報の第２のセットをコアネットワークと交換させるコードと、情報の第２のセットは、制御シグナリングまたはデータのうちの少なくとも１つを備える、コンピュータに、情報の第１のセットまたは情報の第２のセットのうちの少なくとも１つを補助ネットワークセルに示させるコードと、を備えるコンピュータ可読媒体を含むことができるコンピュータプログラム製品に関する。
【００２４】
本明細書で説明される第１７の態様は、ワイヤレス通信システム内で動作可能な方法に関する。この方法は、制御シグナリングまたはデータの第１のセットを少なくとも１つのＵＥと交換することと、制御シグナリングまたはデータの第２のセットをコアネットワークエンティティと交換することと、交換された制御シグナリングまたはデータの少なくとも１つの表示を少なくとも１つのＵＥのサービングネットワークセルに通信することと、を備えることができる。
【００２５】
本明細書の第１８の態様は、少なくとも１つのＵＥ、関連するコアネットワーク、およびサービングネットワークセルに関連するデータを格納するメモリを備えることができるワイヤレス通信装置に関する。このワイヤレス通信装置は、制御シグナリングまたはデータを少なくとも１つのＵＥと交換し、制御シグナリングまたはデータを関連するコアネットワークと交換し、少なくとも１つのＵＥまたは関連するコアネットワークと交換された制御シグナリングまたはデータの少なくとも一部をサービングネットワークセルに示すように構成されたプロセッサをさらに備えることができる。
【００２６】
本明細書で説明される第１９の態様は、ワイヤレス通信システム内で動作可能な装置に関する。この装置は、制御シグナリングまたはデータの第１のセットを少なくとも１つのＵＥと交換するための手段と、制御シグナリングまたはデータの第２のセットをコアネットワークと交換するための手段と、交換された制御シグナリングまたはデータの少なくとも１つの表示を少なくとも１つのＵＥのサービングネットワークセルに通信するための手段と、を備えることができる。
【００２７】
第２０の態様は、コンピュータに、情報の第１のセットを少なくとも１つのＵＥと交換させるコードと、なお、情報の第１のセットは、制御シグナリングまたはデータのうちの少なくとも１つを備える、コンピュータに、情報の第２のセットをコアネットワークと交換させるコードと、なお、情報の第２のセットは、制御シグナリングまたはデータのうちの少なくとも１つを備える、コンピュータに、情報の第１のセットまたは情報の第２のセットの少なくとも一部をサービングネットワークセルに示させるコードと、を備えるコンピュータ可読媒体を含むことができるコンピュータプログラム製品に関する。
【００２８】
前述および関連する目的の達成に向けて、特許請求される主題の１つまたは複数の態様は、後で十分に説明され、特許請求の範囲で特に指摘される特徴を備える。次の説明および添付図面は、特許請求される主題のある種の例示的態様を詳細に示す。しかし、これらの態様は、特許請求される主題の原理を使用できるさまざまな形のうちの少数を示すのみである。さらに、開示される態様は、すべてのそのような態様およびその均等物を含むことが意図されている。
【図面の簡単な説明】
【００２９】
【図１】さまざまな態様によるワイヤレス通信システム内のユーザ機器ユニットとそれぞれのセルとの間の情報の交換を調整するシステムを示すブロック図。
【図２】さまざまな態様によるワイヤレス通信システム内での共同処理される送信を容易にするシステムを示すブロック図。
【図３】さまざまな態様によるワイヤレス通信システム内での協調ビームフォーミングを容易にするシステムを示すブロック図。
【図４】ワイヤレス通信システム内での協調マルチポイント送信を容易にするシステムを示すブロック図。
【図５】ワイヤレス通信システム内での協調マルチポイント送信を容易にするシステムを示すブロック図。
【図６】ワイヤレス通信システム内での協調マルチポイント送信を容易にするシステムを示すブロック図。
【図７】ワイヤレス通信環境内のそれぞれのネットワークセルとの調整された送信を行う方法を示すフローチャート。
【図８】ワイヤレス通信環境内のそれぞれのネットワークセルとの調整された送信を行う方法を示すフローチャート。
【図９】ワイヤレス通信環境内の端末および補助ネットワークセルとの通信を調整する方法を示すフローチャート。
【図１０】ワイヤレス通信環境内の端末および補助ネットワークセルとの通信を調整する方法を示すフローチャート。
【図１１】ワイヤレス通信環境内の端末および補助ネットワークセルとの通信を調整する方法を示すフローチャート。
【図１２】ワイヤレス通信環境内の端末およびその端末のサービングネットワークセルとの通信を調整する方法を示すフローチャート。
【図１３】ワイヤレス通信環境内の端末およびその端末のサービングネットワークセルとの通信を調整する方法を示すフローチャート。
【図１４】ワイヤレス通信環境内の端末およびその端末のサービングネットワークセルとの通信を調整する方法を示すフローチャート。
【図１５】ワイヤレス通信ネットワーク内の協調通信を容易にする装置を示すブロック図。
【図１６】ワイヤレス通信ネットワーク内の協調通信を容易にする装置を示すブロック図。
【図１７】ワイヤレス通信ネットワーク内の協調通信を容易にする装置を示すブロック図。
【図１８】ワイヤレス通信ネットワーク内の協調通信を容易にする装置を示すブロック図。
【図１９】ワイヤレス通信ネットワーク内の協調通信を容易にする装置を示すブロック図。
【図２０】本明細書で示されるさまざまな態様に従って利用できる例のセルラ通信環境を示す図。
【図２１】本明細書で説明されるさまざまな態様がその中で機能できる例のワイヤレス通信システムを示すブロック図。
【発明を実施するための形態】
【００３０】
特許請求される主題のさまざまな態様を、これから図面を参照して説明するが、図面では、類似する符号が、終始、類似する要素を参照するのに使用される。次の説明では、説明において、１つまたは複数の態様の完全な理解を提供するために多数の特定の詳細を示す。しかし、そのような態様（１つまたは複数）を、これらの特定の詳細なしで実践できることは明白であろう。他の場合には、１つまたは複数の態様の説明を容易にするために、周知の構造およびデバイスをブロック図形式で示す。
【００３１】
本願で使用される時に、用語「コンポーネント」、「モジュール」、「システム」などは、ハードウェア、ファームウェア、ハードウェアおよびソフトウェアの組合せ、ソフトウェア、または実行中のソフトウェアのいずれであれ、コンピュータ関連のエンティティを指すことができる。たとえば、コンポーネントを、プロセッサ上で動作するプロセス、集積回路、オブジェクト、実行可能ファイル、実行のスレッド、プログラム、および／またはコンピュータとすることができるが、これらに限定はされない。たとえば、コンピューティングデバイスで動作するアプリケーションとそのコンピューティングデバイスとの両方を、コンポーネントとすることができる。１つまたは複数のコンポーネントが、１つのプロセスおよび／または実行のスレッド内に存在することができ、１つのコンポーネントを、１つのコンピュータ上に局所化し、かつ／または複数のコンピュータの間で分散させることができる。さらに、これらのコンポーネントを、その上にさまざまなデータ構造を格納されたさまざまなコンピュータ可読媒体から実行することができる。コンポーネントは、１つまたは複数のデータパケットを有する信号（たとえば、信号によって、ローカルシステム内、分散システム内、および／または他のシステムとのインターネットなどのネットワークにまたがる別のコンポーネントと相互作用するあるコンポーネントからのデータ）によるなど、ローカルプロセスおよび／または遠隔プロセスによって通信することができる。
【００３２】
さらに、さまざまな態様を、本明細書でワイヤレス端末および／または基地局に関連して説明する。ワイヤレス端末は、音声接続性および／またはデータ接続性をユーザに提供するデバイスを指すことができる。ワイヤレス端末を、ラップトップコンピュータまたはデスクトップコンピュータなどのコンピューティングデバイスに接続することができ、あるいは、ワイヤレス端末を、携帯情報端末（ＰＤＡ）などの自立型デバイスとすることができる。ワイヤレス端末を、システム、加入者ユニット、加入者ステーション、移動局、移動体、遠隔ステーション、アクセスポイント、遠隔端末、アクセス端末、ユーザ端末、ユーザエージェント、ユーザデバイス、またはユーザ機器（ＵＥ）と呼ぶこともできる。ワイヤレス端末を、加入者ステーション、ワイヤレスデバイス、セル電話、ＰＣＳ電話、コードレス電話、ＳＩＰ（セッション開始プロトコル）電話、ＷＬＬ（wireless local loop）ステーション、携帯情報端末（ＰＤＡ）、ワイヤレス接続機能を有するハンドヘルドデバイス、またはワイヤレスモデムに接続された他の処理デバイスとすることができる。基地局（たとえば、アクセスポイントまたはノードＢ）は、エアインターフェースを介し、１つまたは複数のセクタを介してワイヤレス端末と通信する、アクセスネットワーク内のデバイスを指すことができる。基地局は、受信されたエアインターフェースフレームをインターネットプロトコル（ＩＰ）パケットに変換することによって、ワイヤレス端末とＩＰネットワークを含むことができるアクセスネットワークの残りとの間のルータとして働くことができる。基地局は、エアインターフェースに関する属性の管理をも調整する。
【００３３】
さらに、本明細書で説明されるさまざまな機能を、ハードウェア、ソフトウェア、ファームウェア、またはその任意の組合せで実施することができる。ソフトウェアで実施される場合に、機能を、コンピュータ可読媒体上の１つまたは複数の命令またはコードとして格納し、あるいは送信することができる。コンピュータ可読媒体は、コンピュータ記憶媒体と、ある場所から別の場所へのコンピュータプログラムの転送を容易にするすべての媒体を含む通信媒体との両方を含む。記憶媒体は、コンピュータによってアクセスできるすべての使用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスク（ｄｉｓｋ）ストレージ、磁気ディスク（ｄｉｓｋ）ストレージもしくは他の磁気ストレージデバイス、または命令もしくはデータ構造の形で所望のプログラムコードを担持しまたは格納するのに使用でき、コンピュータによってアクセスできる任意の他の媒体を備えることができる。また、すべての接続は、当然、コンピュータ可読媒体と呼ばれる。たとえば、ソフトウェアが、ウェブサイト、サーバ、または他の遠隔ソースから同軸ケーブル、光ファイバケーブル、より対線、デジタル加入者回線（ＤＳＬ）、または赤外線、無線波、およびマイクロ波などのワイヤレス技術を使用して送信される場合に、同軸ケーブル、光ファイバケーブル、より対線、ＤＳＬ、または赤外線、無線波、およびマイクロ波などのワイヤレス技術は、媒体の定義に含まれる。ディスク（ｄｉｓｋ  ａｎｄ  ｄｉｓｃ）は、本明細書で使用される時に、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイディスク（ｄｉｓｃ）（ＢＤ）を含み、ｄｉｓｋは、通常はデータを磁気的に再生し、ｄｉｓｃは、レーザを用いてデータを光学的に再生する。上記の組合せも、コンピュータ可読媒体の範囲に含まれなければならない。
【００３４】
本明細書で説明されるさまざまな技法を、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、ＳＣ−ＦＤＭＡ（Single Carrier FDMA）システム、および他のそのようなシステムなどのさまざまなワイヤレス通信システムに使用することができる。用語「システム」および「ネットワーク」は、本明細書ではしばしば交換可能に使用される。符号分割多元接続システムは、ＵＴＲＡ（Universal Terrestrial Radio Access）、ＣＤＭＡ２０００、その他などの無線技術を実施することができる。ＵＴＲＡは、Ｗ−ＣＤＭＡ（Wideband-CDMA）および符号分割多元接続の他の変形を含む。さらに、ＣＤＭＡ２０００は、ＩＳ−２０００標準規格、ＩＳ−９５標準規格、およびＩＳ−８５６標準規格を包含する。時分割多元接続システムは、ＧＳＭ（登録商標）（Global System for Mobile Communications）などの無線技術を実施することができる。直交周波数分割多元接続システムは、Ｅ−ＵＴＲＡ（Evolved UTRA）、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）その他などのワイヤレス技術を実施することができる。ＵＴＲＡおよびＥ−ＵＴＲＡは、ＵＭＴＳ（Universal Mobile Telecommunication System）の一部である。３ＧＰＰ  ＬＴＥ（Long Term Evolution）は、Ｅ−ＵＴＲＡを使用する、やがて現れるリリースであり、Ｅ−ＵＴＲＡは、ダウンリンクで直交周波数分割多元接続、アップリンクでＳＣ−ＦＤＭＡを使用する。ＵＴＲＡ、Ｅ−ＵＴＲＡ、ＵＭＴＳ、ＬＴＥ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。
【００３５】
さまざまな態様を、複数のデバイス、コンポーネント、モジュールなどを含むことができるシステムに関して提示する。これらのさまざまなシステムが、追加のデバイス、コンポーネント、モジュールなどを含むことができ、かつ／または図面に関連して述べられるデバイス、コンポーネント、モジュールなどのすべては含まない場合があることを理解（understood and appreciated）されたい。これらの手法の組合せを使用することもできる。
【００３６】
ここで図面を参照すると、図１は、本明細書で説明されるさまざまな態様によるワイヤレス通信環境内のＵＥ１１０とそれぞれのセル１２０〜１３０との間の情報の交換を調整するシステム１００を示す。
【００３７】
図１に示されているように、システム１００は、サービングセル１２０および／または補助セル１３０などの１つまたは複数の関連するネットワークセルと通信できる１つまたは複数のユーザ機器ユニット（ＵＥ）１１０を含むことができる。「サービングセル」および「補助セル」という名称が、本明細書ではネットワークセル１２０〜１３０を指すのに使用されるが、ネットワークセル１２０〜１３０の機能がそのようなセル１２０〜１３０の命名によって暗示されることは意図されていないことを理解されたい。たとえば、補助セル１３０は、いくつかの場合にサービングセル１２０に加えてまたはその代わりにＵＥ１１０に通信カバレージを提供することによって、ＵＥ１１０にサービスを提供することができることを理解されたい。さらに、本明細書に添付された特許請求の範囲が、該特許請求の範囲によって明示的に列挙されるものを超えるセル１２０〜１３０の機能を要求することは意図されていないことを理解されたい。さらに、セル１２０〜１３０を、たとえばマクロセル、フェムトセルもしくはＨＮＢ（Home Node B）、ピコセル、中継器などを含む、任意の適切なセルタイプ（１つまたは複数）のいずれとすることもできることを理解されたい。
【００３８】
一態様によれば、本明細書で説明されるさまざまな形で、ＵＥ１１０は、サービングセル１２０および／または補助セル１３０への１つまたは複数のアップリンク（ＵＬ、逆方向リンク（ＲＬ）とも称する）通信を行うことができ、サービングセル１２０および／または補助セル１３０は、ＵＥ１１０への１つまたは複数のダウンリンク（ＤＬ、順方向リンク（ＦＬ）とも称する）通信を行うことができる。一例では、サービングセル１２０および補助セル１３０を、共通のノードＢ（基地局、アクセスポイント、ｅＮＢ（Evolved Node B）など）または別個のノードＢに関連付けることができる。
【００３９】
別の例では、サービングセル１２０および／または補助セル１３０は、ＵＥ１１０で１つまたは複数のデータサービスの使用を容易にするのに利用できるコアネットワーク１４０と通信することができる。コアネットワーク１４０は、任意の適切な１つまたは複数の無線アクセス技術の下で動作するワイヤレス通信ネットワークおよび／または任意の他の適切なネットワークもしくはインターネットワーク（たとえば、インターネット）とすることができ、および／またはそれに対応することができる。さらに、コアネットワーク１４０は、ＵＥ１１０によって利用される１つまたは複数のデータサービスに関連して、セル１２０および／もしくは１３０を介してＵＥ１１０に提供されるダウンリンクデータのデータ送信装置、セル１２０および／もしくは１３０を介してＵＥ１１０から受信されるアップリンクデータのデータ受信装置、またはその両方として働くことができる。一例では、コアネットワーク１４０は、ＳＧＷ（signaling gateway）、ＭＭＥ（mobility management entity）、および／またはシステム１００内のそれぞれのデバイスを管理し、ＵＥ１１０宛のパケットのソースおよび／またはＵＥ１１０から発するパケットのシンクとして働き、かつ／または他の適切な機能を実行する任意の他の適切なエンティティの機能を含み、かつ／または実施することができる。
【００４０】
別の態様によれば、システム１００は、複数のソースおよび／または宛先（たとえば、それぞれのアンテナ、エンティティなどに対応する）がシステム１００内のデバイスの間でのデータ、制御シグナリング、および／または他の情報の送信および／または受信に利用されるＭＩＭＯ通信を利用することができる。ＭＩＭＯ通信を利用することによって、いくつかの場合に、単一入力および／または単一出力の通信システムより高いデータレート、改善された信号品質、および他のそのような利益を実現できることを理解されたい。
【００４１】
一例では、システム１００は、サービングセル１２０および補助セル１３０などの複数のセルが１つまたは複数のＵＥ１１０とのそれぞれの協調通信または共同通信（cooperative  or joint communication）を行うことができる、ＣｏＭＰ（Cooperative Multipoint、たとえば、Ｎ−ＭＩＭＯ（Network MIMO）、Ｄ−ＭＩＭＯ（Distributed MIMO）、またはＣｏ−ＭＩＭＯ（Cooperative MIMO）などとも称する）送信の形でＭＩＭＯを利用することができる。ＵＥ１１０とセル１２０〜１３０との間のＣｏＭＰ通信は、たとえば、サービングセル１２０および補助セル１３０がＵＥ１１０へのダウンリンクデータの送信および／またはＵＥ１１０からのアップリンクデータの協調受信にかかわるために協調する、共同処理スキームを利用することができる。それに加えてまたはその代わりに、ＵＥ１１０とセル１２０〜１３０との間のＣｏＭＰ通信は、補助セル１３０が送信用の空間ビームをサービングセル１２０から離れて形成し、これによってサービングセル１２０が少ない干渉でＵＥ１１０と通信することを可能にするように、サービングセル１２０および補助セル１３０が協調する、調整ビームフォーミング（coordinated beamforming）を利用することができる。共同処理および調整ビームフォーミングは、それぞれ図２および図３に関して下でさらに詳細に説明する。
【００４２】
上記を考慮して、ＣｏＭＰ送信が、それぞれがＵＥ１１０に関連する情報に基づいて通信でき、いくつかの場合に共通のノードＢまたは異なるノードＢに関連付けられ得る複数のセル１２０〜１３０を活用できることを理解されたい。したがって、ＵＥ１１０とのＣｏＭＰ通信に関連する情報をセル１２０〜１３０にルーティングするために、１つまたは複数の技法をシステム１００内で実施することが望ましいことをさらに理解されたい。第１の例として、従来のコアネットワークが、データパケットを単一のセルにルーティングすることによって動作することを理解されたい。しかし、複数のセル１２０〜１３０とＵＥ１１０との間の分散通信を活用するためには、複数のセル１２０〜１３０へのデータパケットのルーティングをサポートしないコアネットワーク１４０に関連するネットワーク環境内のセル１２０〜１３０のそれぞれに関連データパケットをルーティングする機構を実施することが望ましい。第２の例として、ＵＥ１１０とのＣｏＭＰ送信を行うそれぞれのセル１２０〜１３０は、ＵＥ１１０に関連する制御情報を受信し、生成し、かつ／または他の形で入手するか活用することができる。したがって、セル１２０〜１３０の間および／またはそれぞれのセル１２０および／または１３０とコアネットワーク１４０との間で制御情報を効率的に渡す技法を実施することが、さらに望ましい。
【００４３】
一態様によれば、システム１００内でＣｏＭＰ通信をサポートし、少なくとも上の例で説明した目標を達成するために、システム１００を、コアネットワーク１４０およびＵＥ１１０と通信する所与のＵＥ１１０のためのサービングセル１２０と、ＵＥ１１０とワイヤレスで（ＯＴＡ）通信する補助セル１３０とを利用するように構成することができる。一例では、サービングセル１２０を、データ、制御シグナリング（たとえば、物理ダウンリンク制御チャネル（ＰＤＣＣＨ）割当てまたは許可、肯定応答（ＡＣＫ）シグナリングなど）、および／または任意の他の適切な情報を備えることができる、サービングセル１２０とコアネットワーク１４０との間のネットワークインターフェース（たとえば、Ｓ１−Ｕインターフェースおよび／または別の適切なＥ−ＵＴＲＡＮ（E-UTRA Network）インターフェースなど）を介してコアネットワーク１４０とパケットを交換するように構成することができる。
【００４４】
コアネットワーク１４０とパケットを交換することに加えて、サービングセル１２０は、ＵＥ１１０との通信を行い、および／またはバックホールインターフェース（たとえば、Ｘ２インターフェースおよび／または任意の他の適切なインターフェース）を介して補助セル１３０とそれぞれのパケットを交換することができる。サービングセル１２０と補助セル１３０との間のバックホールインターフェースまたはリンクを利用することによって、パケットを、コアネットワーク１４０からサービングセル１２０に送信し、その後、バックホールインターフェースを介して補助セル１３０にルーティングすることができ、これによって、補助セル１３０をコアネットワーク１４０にとってトランスペアレントにすることが可能になり、コアネットワーク１４０に対する実施態様変更を必要とせずに、サービングセル１２０および補助セル１３０がＵＥ１１０とのＣｏＭＰ通信にかかわることが可能になることを理解されたい。
【００４５】
それに加えてまたはその代わりに、システム１００を、補助セル１３０がデータ、制御シグナリング、および／またはＵＥ１１０に関連する他の情報の少なくとも一部をコアネットワーク１４０に直接に交換することを可能にするために、補助セル１３０とコアネットワーク１４０との間のネットワークインターフェースを利用するように構成することもできる。ネットワークインターフェースが補助セル１３０とコアネットワーク１４０との間に設けられる例では、データ、制御シグナリング、および／または他の情報のさまざまな部分を、サービングセル１２０とコアネットワーク１４０との間でのみ、補助セル１３０とコアネットワーク１４０との間でのみ、またはコアネットワーク１４０とサービングセル１２０および補助セル１３０の両方との間で交換されるように独立に指定することができる。例として、ＵＥ１１０に関連するすべてのダウンリンク制御情報および／またはその一部（たとえば、割り当てられたまたは許可された帯域幅、コーディングレート、および／またはＵＥ１１０の他のパラメータに関連するＰＤＣＣＨ割当て情報）が、コアネットワーク１４０によってサービングセル１２０に排他的に供給されるように、システム１００を構成することができる。別の例では、許可、ＡＣＫなどの補助セル１３０でＵＥ１１０から受信されるアップリンク制御情報を、補助セル１３０によってコアネットワーク１４０に直接に供給されるか、またはコアネットワーク１４０への後続転送のためにサービングセル１２０にトンネリングされるかのいずれかとすることができる。
【００４６】
上で説明したように、図１に示されたシステム１００は、さまざまな形でＣｏＭＰ通信にかかわることができる。第１の特定の例として、図２のシステム２００は、共同処理を使用して実行される例の通信セッション中のＵＥ１１０、サービングセル１２０、補助セル１３０、およびコアネットワーク１４０の動作を示す。本明細書で使用される時に、共同処理は、それぞれのセルが１つまたは複数の受信機（たとえば、ＵＥ１１０）への情報の少なくとも１つの協調送信または共同送信（cooperative or joint transmission）を実行するために協調する通信スキームを指す。たとえば、変調シンボルｘを第１のＵＥに送信する第１のセルおよび変調シンボルｙを第２のＵＥに送信する第２のセルの代わりに、セルは、第１のセルがＵＥの一方または両方にａｘ＋ｂｙを送信し、第２のセルが同一のＵＥ（１つまたは複数）にｃｘ＋ｄｙを送信するように協調することができ、ここで、ａ、ｂ、ｃ、およびｄは、ユーザのＳＮ比（ＳＮＲ）、システム容量、および／または任意の他の適切なメトリック（１つまたは複数）を最適化するように選択される係数である。
【００４７】
さらに、それぞれのセルは、（たとえば、動的セル選択を介する）所定のスケジュールに基づいて、１つまたは複数のＵＥに同時に（たとえば、共同送信を介して）および／または個別に情報を送信することができる。どちらの場合でも、および／または任意の他の共同処理技法（１つまたは複数）の場合に、共同処理に基づいて情報を受信するＵＥが、いくつかの場合に、複数のソースから情報を受信した結果として、シングルポイント送信を介して達成可能であるものより高いＳＮＲを観察し得ることを理解されたい。
【００４８】
一態様によれば、データおよび／または制御情報を、図２に示されているようにシステム２００内のエンティティの間で送信することができ、ここで、実線は、データフローを表し、鎖線は、制御フローを表す。システム２００が示すように、データおよび制御情報は、コアネットワーク１４０とサービングセル１２０との間で転送され、および／またはバックホールリンクを介してサービングセル１２０と補助セル１３０との間でルーティングされることができ、これによって、補助セル１３０をコアネットワーク１４０にとってトランスペアレントにすることが可能になり、コアネットワーク１４０および／またはコアネットワーク１４０に関連する任意のコンポーネントの実施態様に対する変更を必要とせずに共同処理を行うことが可能になる。
【００４９】
代替案では、システム２００によってさらに示されるように、データパケットを、オプションでコアネットワーク１４０とサービングセル１２０および補助セル１３０の両方との間でルーティングすることができる。サービングセル１２０と補助セル１３０との間のバックホールインターフェースを介するデータパケットの転送をやめることによって、バックホールインターフェースに対する負荷を減らすことができることを理解されたい。さらに、サービングセル１２０と補助セル１３０との間のバックホールインターフェースに対する負荷を減らすことが、バックホールインターフェースがコアネットワーク１４０または別の中央ルーティングステーションを介して情報を戻って転送することを介して実施されるスターネットワークおよび／または類似するネットワーク実施態様の場合ならびに／あるいは他の適切な場合に有益になり得ることを理解されたい。
【００５０】
さらに、データが、サービングセル１２０と補助セル１３０との両方に供給される場合には、制御プレーン情報の少なくとも一部を、コアネットワーク１４０および／またはＵＥ１１０からサービングセル１２０だけにルーティングすることができ、このサービングセル１２０は、その後、関連する制御情報を補助セル１３０に渡すことができる。ソースセル１２０によって受信される制御情報は、たとえば、所与のスロットで所与のパケットを送信する要求、ＰＤＣＣＨ割当てまたは許可、および／ならびに任意の他のタイプ（１つまたは複数）の制御情報とすることができる。したがって、この形での制御シグナリングの通信のために単一のセルを指定することによって、スケジューリング、誤り処理などの動作を、それぞれのセルの間の通信を必要とせずに単一のセルによって実行することができ、これによって、システム２００および／またはシステム２００内のセルの効率が高められる。
【００５１】
システム２００に示された例に対する代替の例として、コアネットワーク１４０は、制御情報の第１の部分をサービングセル１２０と交換し、制御情報の第２のオーバーラップするまたはオーバーラップしない部分を補助セル１３０と交換することができる。したがって、たとえば、ＰＤＣＣＨ割当てを、コアネットワーク１４０とサービングセル１２０との間で排他的に転送することができ、ＡＣＫまたは類似物などの他の制御情報を、コアネットワークとサービングセル１２０または補助セル１３０のいずれかとの間で転送することができる。同様に、システム２００は、サービングセル１２０からＵＥ１１０への単一の制御インターフェースを示すが、補助セル１３０が、さらに、いくつかの場合にＵＥ１１０と制御情報を交換することができる。より具体的には、いくつかの場合に、補助セル１３０は、ワイヤレスで直接にＵＥ１１０に制御情報（たとえば、許可、ＡＣＫなど）を送信し、受信するか、制御情報をサービングセル１２０を介してＵＥ１１０にトンネリングさせるかのいずれかを行うことができる。たとえば、補助セル１３０によって検出されたビーム方向を示す許可を、補助セル１３０によってＵＥ１１０にシグナリングすることができる。別の例では、ＵＥ１１０から受信されたＡＣＫ情報を、補助セル１３０によって復号し、サービングセル１２０に渡すことができ、このサービングセル１２０は、後続送信をスケジューリングするのに、復号されたＡＣＫ情報を利用することができる。
【００５２】
ＵＥ１１０とセル１２０〜１３０とコアネットワーク１４０との間のＣｏＭＰ通信のもう１つの例として、図３のシステム３００は、調整ビームフォーミング（ＣＢＦ：coordinated beamforming）を使用して行われる例の通信セッションを示す。図３に示されているように、サービングセル１２０および補助セル１３０は、サービングセル１２０とＵＥ１１０との間での通信に関してＣＢＦを行うために協調することができる。たとえば、ＵＥ１１０および／またはコアネットワーク１４０は、通信セッションに関連してそれぞれのデータをサービングセル１２０と交換することができる。さらに、チャネル品質情報、ＵＥ１１０によって供給される干渉報告、ＵＥ１１０および／もしくはサービングセル１２０の位置に関する情報などのＵＥ１１０および／またはサービングセル１２０に関連する制御情報に基づいて、サービングセル１２０および／またはＵＥ１１０から離れて空間ビームを形成するように補助セル１３０を構成することができ、これによって、干渉が減り、ＵＥ１１０および／またはサービングセル１２０で観察されるＳＮＲが改善される。
【００５３】
一例では、ＵＥ１１０に関連する制御情報を、サービングセル１２０で格納し、かつ／またはＵＥ１１０によってサービングセル１２０に供給することができる。それに加えてまたはその代わりに、ＵＥ１１０に関連する制御情報を、サービングセル１２０とのバックホールリンクを介して補助セル１３０に供給し、かつ／またはオプションでＵＥ１１０によって無線で供給することができる。
【００５４】
ここで図４〜６に移ると、ＵＥ１１０、サービングセル１２０、および補助セル１３０が動作できる形のさまざまな例を示すそれぞれのシステム４００〜６００が提供される。しかし、図４〜６およびそれに関連する説明が、限定ではなく例として提供されることと、任意の適切なデバイス実施態様（１つまたは複数）を、本明細書で説明される技法に関連して利用できることとを理解されたい。
【００５５】
図４を参照すると、ＣｏＭＰ通信を行う第１の例のシステム４００は、サービングセルインターフェース４１２を介してサービングセル１２０とおよび／または補助セルインターフェース４１４を介して補助セル１３０と通信できるＵＥ１１０を含むことができる。一態様によれば、ＵＥ１１０は、サービングセルインターフェース４１２を介するサービングセル１２０との制御情報の交換ならびに／あるいはサービングセルインターフェース４１２を介するサービングセル１２０とのおよび／または補助セルインターフェース４１４を介する補助セル１３０とのデータの交換を容易にすることができるルーティングモジュール４３０を含むことができる。
【００５６】
サービングセルインターフェース４１２を介してサービングセル１２０と交換される制御情報は、たとえば、ＰＤＣＣＨ割当てプロセッサ４２０を使用してＵＥ１１０で処理され得るＰＤＣＣＨ割当て情報を含むことができる。一例では、ＰＤＣＣＨ割当て情報は、ビーム方向情報および／または任意の他の適切な情報を含むことができる。別の例では、ＵＥ１１０は、ＰＤＣＣＨ割当て情報とは別個の情報をサービングセル１２０および／または補助セル１３０と交換することができる。たとえば、ＵＥ１１０を、データ／制御ソース４４０に関連するデータおよび／または制御情報をサービングセル１２０および／または補助セル１３０と交換するのに利用することができる。データ／制御ソース４４０に関連する情報は、たとえば、ＡＣＫ情報、干渉情報（たとえば、干渉レポータ４４２によって識別される）などを含むことができる。
【００５７】
一例では、ＵＥ１１０を、サービングセル１２０および補助セル１３０によって協調して行われる少なくとも１つの送信でデータを交換するように動作可能とすることができる。したがって、第１の例では、ＵＥ１１０は、サービングセル１２０と補助セル１３０との間の共同送信で、サービングセル１２０と補助セル１３０との両方からのデータをルーティングモジュール４３０ならびにそれぞれのインターフェース４１２〜４１４を介して交換することができる。一例では、共同送信を、１つまたは複数の送信するエンティティ（たとえば、アップリンク送信の場合にはＵＥ１１０、またはダウンリンク送信の場合にはセル１２０〜１３０）によってそれぞれのビームフォーミング重みを適用できる変調シンボルのセットを使用して行うことができる。別の例では、サービングセル１２０および／または補助セル１３０は、ダウンリンクでＵＥ１１０に送信される変調シンボルに適用されるそれぞれのビームフォーミング重みを示す情報を提供することができる。同様に、ＵＥ１１０は、データ／制御ソース４４０および／または他の手段で格納された情報に基づいて、サービングセル１２０および／または補助セル１３０との通信の前にアップリンクで送信される情報に所定のスケジューリング、ビームフォーミング重みなどを適用するために、送信調整器４５０および／または任意の他の適切なコンポーネント（１つまたは複数）を利用することができる。
【００５８】
その代わりに、サービングセル１２０と補助セル１３０との間の協調送信の第２の例では、ＵＥ１１０は、上で図３に関して全体的に説明したように、セル１２０〜１３０の間で実行される協調ビームフォーミングまたは調整ビームフォーミングに基づいて、サービングセル１２０または補助セル１３０のうちの１つとデータを交換することができる。さらなる例では、ＵＥ１１０は、上で説明した機能および／またはＵＥ１１０で実施されることが望まれる任意の他の機能の一部またはすべてを実施するように動作可能とすることができるプロセッサ４６２および／またはメモリ４６４を含むことができる。
【００５９】
次に図５を参照すると、ＣｏＭＰ通信を行う第２の例のシステム５００は、ＵＥインターフェース５１２を介してＵＥ１１０と、補助セルインターフェース５１４を介して補助セル１３０と、および／またはコアネットワークインターフェース５１６を介してコアネットワーク１４０と通信できるサービングセル１２０を含むことができる。一態様によれば、サービングセル１２０は、ＵＥインターフェース５１２を介する少なくとも１つのＵＥ１１０との制御情報の交換を容易にするのに、ルーティングモジュール５２０および／または他の適切な手段を利用することができる。ＵＥ１１０と制御情報を交換する時に、サービングセル１２０は、さらに、ＵＥ１１０と交換される制御情報を、補助セルインターフェース５１４を介して補助セル１３０に示すことができる。図５によって示される１つの例では、サービングセル１２０とＵＥ１１０との間で交換される制御情報は、コアネットワークインターフェース５１６を介してコアネットワーク１４０から受信され、かつ／またはサービングセル１２０でローカルに生成され（たとえば、かつ／または制御／データ送信装置５３０によって識別され）得るＰＤＣＣＨ割当て情報を含むことができる。識別されたＰＤＣＣＨ情報を、その後、それぞれのインターフェース５１２〜５１４を介してＵＥ１１０および補助セル１３０に供給することができる。
【００６０】
別の態様によれば、サービングセル１２０は、ダウンリンクでコアネットワーク１４０（たとえば、サービングセル１２０とコアネットワーク１４０との間のＳ１−Ｕインターフェースおよび／または任意の他の適切な通信リンクを介して）、制御／データ送信装置５３０、および／または任意の他の適切なソース（１つまたは複数）からＵＥ１１０に送信されるデータを識別することができる。ＵＥ１１０に送信されるデータの識別の際に、識別されたデータの少なくとも一部を、補助セル１３０との協調送信でルーティングモジュール５２０を介してＵＥ１１０に送信することができる。一例では、サービングセル１２０は、補助セル１３０に供給されるそれぞれのデータを補助セル１３０との共同送信でＵＥ１１０に送信できるように、識別されたデータの少なくとも一部を補助セル１３０に（たとえば、Ｘ２インターフェースおよび／または任意の他の適切なバックホールリンクを介して）供給することができる。その代わりに、補助セル１３０が、コアネットワーク１４０および／または任意の他の適切なソース（１つまたは複数）からの共同送信で通信されるデータを独立に受信することができる。
【００６１】
さらなる態様によれば、サービングセル１２０を、Ｘ２インターフェースおよび／またはサービングセル１２０と補助セル１３０との間の任意の他の適切なバックホールリンクもしくはインターフェースを介して補助セル１３０から制御情報を受信するように動作可能とすることができる。その後、サービングセル１２０は、受信された制御情報に基づいて、指定されたデータおよび／または制御情報をルーティングモジュール５２０を使用してＵＥ１１０に送信することができる。たとえば、補助セル１３０から受信された制御情報がＵＥ１１０に関連するＡＣＫ情報を含む場合には、ルーティングモジュール５２０の送信スケジューラ５２２および／またはサービングセル１２０の別の適切なコンポーネントは、受信されたＡＣＫ情報に基づいて、その後に指定されたデータおよび／または制御情報をＵＥ１１０に送信するのに利用できる指定されたデータおよび／または制御情報の送信スケジュールを生成することができる。別の例では、サービングセル１２０を、データ、制御シグナリング、および／または他の情報をＵＥ１１０から受信するように動作可能とすることができる。ＵＥ１１０からそのような情報を受信した時に、サービングセル１２０は、該情報を補助セル１３０、コアネットワーク１４０、および／または任意の他の適切なネットワークエンティティに中継する、および／または他の形で通信することができる。システム５００によってさらに示されているように、サービングセル１２０は、上で説明した機能および／またはサービングセル１２０で実施されることが望まれる任意の他の機能の一部またはすべてを実施するように動作可能とすることができるプロセッサ５４２および／またはメモリ５４４を含むことができる。
【００６２】
図６に移ると、ＣｏＭＰ通信を行う第３の例のシステム６００は、ＵＥインターフェース６１２を介して少なくとも１つのＵＥ１１０と、サービングセルインターフェース６１４を介してサービングセル１２０と、および／またはコアネットワークインターフェース６１６を介してコアネットワーク１４０と通信できる補助セル１３０を含むことができる。一態様によれば、補助セル１３０は、少なくとも１つのＵＥ１１０に関連する制御情報のサービングセルインターフェース６１４を介するサービングセル１２０との交換を容易にするのに、ルーティングモジュール６２０および／または他の適切な手段を利用することができる。サービングセル１２０と制御情報を交換する際に、補助セル１３０は、交換される制御情報に基づいて、システム６００内の１つまたは複数のエンティティ（たとえば、ＵＥ１１０、サービングセル１２０、コアネットワーク１４０など）と通信することができる。一例では、サービングセル１２０と交換される制御情報は、サービングセル１２０から受信されるＰＤＣＣＨ情報を含むことができる。それに加えてまたはその代わりに、補助セル１３０を、ＰＤＣＣＨ割当て情報とは別個の制御情報をＵＥ１１０および／またはシステム６００内の任意の他のエンティティと交換するように動作可能とすることができる。
【００６３】
別の態様によれば、補助セル１３０は、ＵＥ１１０とサービングセル１２０および／または補助セル１３０との間の１つまたは複数の送信に関連してサービングセル１２０と協調することができる。一例では、補助セル１３０は、ダウンリンクでＵＥ１１０に送信されるデータを識別し、交換される制御情報に従ってルーティングモジュール６２０を使用して、識別されたデータの少なくとも一部をＵＥ１１０に送信することができる。補助セル１３０によって送信されるデータを、任意の適切な手段によって入手することができる。たとえば、ダウンリンクでＵＥ１１０に送信されるデータの少なくとも一部を、サービングセル１２０と補助セル１３０との間のＸ２インターフェースおよび／または任意の他の適切なバックホールリンクもしくはインターフェースを介してサービングセル１２０から受信し、補助セル１３０とコアネットワーク１４０との間のＳ１−Ｕインターフェースおよび／または任意の他の適切なＥ−ＵＴＲＡＮもしくは他のインターフェースを介してコアネットワーク１４０から受信する、および／または任意の他の適切な手段によって入手することができる。別の例では、ＵＥ１１０に送信されるデータを入手する際に、補助セル１３０は、サービングセル１２０との協調送信または共同送信でＵＥにそれぞれのデータを送信することができる。さらに、アップリンクでは、補助セル１３０は、補助セル１３０に排他的にならびに／または補助セル１３０およびシステム６００内の１つまたは複数の他のエンティティに少なくとも１つのＵＥ１１０によって通信できるデータをその少なくとも１つのＵＥ１１０から受信することができる。ＵＥ（１つまたは複数）１１０からデータを受信する時に、補助セル１３０は、受信されたデータの少なくとも一部をサービングセル１２０、コアネットワーク１４０、および／または任意の他の適切なネットワークエンティティに通信するか中継することができる。
【００６４】
さらなる態様によれば、補助セル１３０は、少なくとも１つのＵＥ１１０に関連する制御情報を生成する、および／または他の形で入手することができる。次に、補助セル１３０によって識別された制御情報を、サービングセル１２０へのバックホールインターフェース（たとえば、Ｘ２インターフェースなど）を介しておよび／または任意の他の手段によってサービングセル１２０にトンネリングすることができる。さらに別の例では、補助セル１３０は、ＵＥ１１０で観察された干渉に関連する制御情報を交換する、および／または他の形で識別することができる。識別された制御情報に基づいて、ビームフォーミング調整器６３２および／または補助セル１３０にある別の適切な機構は、サービングセル１２０および／またはシステム６００内の１つまたは複数の他のエンティティとのＣＢＦおよび／または他の類似する手順を実行することができる。ビームフォーミング調整器６３２は、たとえば、ＵＥ１１０で観察される干渉を実質的に最小にするためにそれぞれの送信パラメータを選択することと、選択された送信パラメータに従って通信を向けること（たとえば、インターフェース６１２〜６１６および／または汎用送信機６３４を介して）とによって、ＣＢＦを容易にすることができる。ビームフォーミング調整器６３２によって選択される送信パラメータは、たとえば、送信電力パラメータ、ビーム方向パラメータなどを含むことができる。システム６００によってさらに示されるように、補助セル１３０は、上で説明した機能および／または補助セル１３０で実施されることが望まれる任意の他の機能の一部またはすべてを実施するように動作可能とすることができるプロセッサ６４２および／またはメモリ６４４を含むことができる。
【００６５】
ここで図７〜１４を参照すると、本明細書で示されるさまざま態様に従って実行できる方法が示されている。説明の単純さのために、方法は、一連の行為として図示され、説明されるが、一部の行為が、１つまたは複数の態様に従って、図示され本明細書で説明されるものとは異なる順序でおよび／または他の行為と同時に発生し得るので、方法が行為の順序によって制限されないことを了解し理解（understood and appreciated）されたい。たとえば、当業者は、方法を、その代わりに状態図など、一連の相互に関係する状態またはイベントとして表すことができることを了解し理解（understand and appreciate）であろう。さらに、示されるすべての行為が、１つまたは複数の態様による方法を実施するのに必要とは限らない場合がある。
【００６６】
図７を参照すると、ワイヤレス通信環境内のそれぞれのネットワークセル（たとえば、セル１２０〜１３０）との調整された送信を行う方法７００が示されている。方法７００を、たとえば端末（たとえば、ＵＥ１１０）および／または任意の他の適切なネットワークデバイスによって実行できることを理解されたい。方法７００は、ブロック７０２で開始され、ここでは、サービングネットワークセル（たとえば、サービングセル１２０）および補助ネットワークセル（たとえば、補助セル１３０）が識別される。次に、ブロック７０４で、制御情報が、少なくともサービングネットワークセルと交換される。次に、方法７００は、ブロック７０６で終了し、ここでは、データが、サービングネットワークセルおよび補助ネットワークセルによって協調して行われる少なくとも１つの送信で交換される。
【００６７】
ここで図８に移ると、ワイヤレス通信環境内のそれぞれのネットワークセルとの調整された送信を行う別の方法８００のフローチャートが示されている。方法８００を、たとえばＵＥおよび／または任意の他の適切なネットワークエンティティによって実行することができる。方法８００は、ブロック８０２で開始され、ここでは、サービングネットワークセルおよび補助ネットワークセルが識別される。次に、ブロック８０４で、ＰＤＣＣＨ割当て情報が、サービングネットワークセルと交換される。次に、方法８００は、終了することができ、あるいは、オプションで、終了の前にブロック８０６に進むことができ、ブロック８０６では、ＡＣＫ情報および／またはブロック８０４で交換されたＰＤＣＣＨ割当て情報とは別個の他の制御情報が、サービングネットワークセルおよび／または補助ネットワークセルから交換される。
【００６８】
図９は、ワイヤレス通信環境内の端末（たとえば、ＵＥ１１０）および補助ネットワークセル（たとえば、補助セル１３０）との通信を調整する方法９００を示す。方法９００を、たとえばワイヤレスネットワークセル（たとえば、サービングセル１２０）および／または任意の他の適切なネットワークエンティティによって実行することができる。方法９００は、ブロック９０２で開始され、ここでは、制御情報が、少なくとも１つのＵＥと交換される。次に、方法９００は、ブロック９０４で終了することができ、ここでは、ブロック９０２で交換された制御情報が、少なくとも補助ネットワークセルに示される。
【００６９】
図１０を参照すると、ワイヤレス通信環境内の端末および補助ネットワークセルとの通信を調整する別の方法１０００が示されている。方法１０００を、たとえばサービングネットワークセルおよび／または任意の他の適切なネットワークエンティティによって実行できることを理解されたい。方法１０００は、ブロック１００２で開始され、ここでは、ＰＤＣＣＨ割当て情報および／または他の制御情報が、少なくとも１つのＵＥと交換される。次に、ブロック１００４で、その少なくとも１つのＵＥに送信されるデータが識別される。次に、方法１０００は、オプションでブロック１００６に進むことができ、ここでは、ブロック１００４で識別されたデータの少なくとも一部が、補助ネットワークセルに供給される。ブロック１００４および／または１００６で説明した行為の完了時に、方法１０００は、ブロック１００８で終了することができ、ここでは、ブロック１００４で識別されたデータの少なくとも一部が、補助ネットワークセルとの協調送信でその少なくとも１つのＵＥに送信される。
【００７０】
次に図１１に移ると、ワイヤレス通信環境内の端末および補助ネットワークセルとの通信を調整する追加の方法１１００が示されている。方法１１００を、たとえば、サービングネットワークセルおよび／または任意の他の適切なネットワークエンティティによって実行することができる。方法１１００は、ブロック１１０２で開始され、ここでは、少なくとも１つのＵＥに対応する制御情報が、補助ネットワークセルおよび／またはコアネットワーク（たとえば、コアネットワーク１４０）から受信される。次に、方法１１００は、ブロック１１０４で終了することができ、ここでは、指定されたデータおよび／または制御情報が、ブロック１１０２で受信された制御情報に少なくとも部分的に基づいて、その少なくとも１つのＵＥに送信される。
【００７１】
図１２は、ワイヤレス通信環境内の端末（たとえば、ＵＥ１１０）およびその端末のサービングネットワークセル（たとえば、サービングセル１２０）との通信を調整する方法１２００を示す。方法１２００を、たとえば、ワイヤレスネットワークセル（たとえば、補助セル１３０）および／または任意の他の適切なネットワークエンティティによって実行することができる。方法１２００は、ブロック１２０２で開始され、ここでは、少なくとも１つのＵＥに関連する制御情報が、その少なくとも１つのＵＥのサービングネットワークセルと交換される。次に、方法１２００は、ブロック１２０４で終了することができ、ここでは、通信が、ブロック１２０２で交換された制御情報に従って行われる。
【００７２】
図１３を参照すると、ワイヤレス通信環境内の端末およびその端末のサービングネットワークセルとの通信を調整する別の方法１３００が示されている。方法１３００を、たとえば、補助ネットワークセルおよび／または任意の他の適切なネットワークエンティティによって実行できることを理解されたい。方法１３００は、ブロック１３０２で開始され、ここでは、少なくとも１つのＵＥに関連する制御情報が、その少なくとも１つのＵＥのサービングネットワークセルと交換される。次に、ブロック１３０４で、その少なくとも１つのＵＥに送信されるデータが、その少なくとも１つのＵＥのサービングネットワークセルおよび／または関連するコアネットワーク（たとえば、コアネットワーク１４０）から識別される。次に、方法１３００は、ブロック１３０６で終了することができ、ここでは、識別されたデータの少なくとも一部が、ブロック１３０２で交換された制御情報に従って、その少なくとも１つのＵＥのサービングネットワークセルとの協調送信でその少なくとも１つのＵＥに送信される。
【００７３】
図１４に移ると、ワイヤレス通信環境内の端末およびその端末のサービングネットワークセルとの通信を調整する追加の方法１４００が示されている。方法１４００を、たとえば、指定された補助ネットワークセルおよび／または任意の他の適切なネットワークエンティティによって実行することができる。方法１４００は、ブロック１４０２で開始され、ここでは、少なくとも１つのＵＥに関連する制御情報が識別される。次に、方法１４００は、オプションでブロック１４０４に進むことができ、ここでは、識別された制御情報の少なくとも一部が、バックホールインターフェースを使用して、その少なくとも１つのＵＥのサービングネットワークセルにトンネリングされる。ブロック１４０２および／または１４０４で説明した行為の完了時に、方法１４００は、ブロック１４０６に継続することができ、ここでは、１つまたは複数の送信パラメータが、識別された制御情報に基づいて選択される。次に、方法１４００は、ブロック１４０８で終了することができ、ここでは、通信が、ブロック１４０６で選択された送信パラメータ（１つまたは複数）に従って行われる。
【００７４】
次に、図１５〜１９を参照すると、本明細書で説明されるさまざまな態様を実施するのに利用できるそれぞれの装置１５００〜１９００が示されている。装置１５００〜１９００が、プロセッサ、ソフトウェア、またはその組合せ（たとえば、ファームウェア）によって実施される機能を表す機能ブロックとすることができる機能ブロックを含むものとして表されていることを理解されたい。
【００７５】
まず図１５に移ると、ワイヤレス通信ネットワーク内の協調通信を容易にする装置１５００が示されている。装置１５００を、ＵＥ（たとえば、ＵＥ１１０）および／または別の適切なネットワークエンティティによって実施することができ、装置１５００は、サービングセルとの１つまたは複数の制御通信を行うモジュール１５０２と、サービングセルおよび少なくとも補助セルによって協調して実行される１つまたは複数のデータ通信を行うモジュール１５０４とを含むことができる。
【００７６】
図１６は、ワイヤレス通信ネットワーク内の協調通信を容易にする別の装置１６００を示す。装置１６００を、指定されたサービングネットワークセル（たとえば、サービングセル１２０）および／または別の適切なネットワークエンティティによって実施することができ、装置１６００は、少なくとも１つの端末との１つまたは複数の制御通信を行うモジュール１６０２と、その１つまたは複数の制御通信を補助セルに示すモジュール１６０４とを含むことができる。
【００７７】
図１７を参照すると、ワイヤレス通信ネットワーク内の協調通信を容易にする第３の例の装置１７００が示されている。装置１７００を、指定された補助ネットワークセル（たとえば、補助セル１３０）および／または別の適切なネットワークエンティティによって実施することができ、装置１７００は、少なくとも１つの端末に関連する制御情報の、その端末のサービングセルとの１つまたは複数の通信を行うモジュール１７０２と、その１つまたは複数の制御通信に少なくとも部分的に基づいてそれぞれの後続通信を管理するモジュール１７０４とを含むことができる。
【００７８】
図１８は、ワイヤレス通信ネットワーク内の協調通信を容易にする第４の例の装置１８００を示す。装置１８００を、１つまたは複数のユーザのサービングネットワークセルとして構成されたネットワークセル（たとえば、サービングセル１２０）および／または別の適切なネットワークエンティティによって実施することができ、装置１８００は、制御シグナリングまたはデータの第１のセットを少なくとも１つのＵＥ（たとえば、ＵＥ１１０）と交換するモジュール１８０２と、制御シグナリングまたはデータの第２のセットをコアネットワークエンティティ（たとえば、コアネットワーク１４０）と交換するモジュール１８０４と、制御シグナリングまたはデータの第１のセットまたは第２のセットのうちの少なくとも１つを補助ネットワークセル（たとえば、補助セル１３０）に示すモジュール１８０６と、を含むことができる。
【００７９】
次に図１９を参照すると、ワイヤレス通信ネットワーク内の協調通信を容易にする第５の例の装置１９００が示されている。装置１９００を、補助ネットワークセルとして構成されたネットワークセル（たとえば、補助セル１３０）および／または別の適切なネットワークエンティティによって実施することができ、装置１９００は、制御情報および／またはデータを少なくとも１つのＵＥと交換するモジュール１９０２と、制御情報および／またはデータをコアネットワークと交換するモジュール１９０４と、交換された制御情報および／またはデータの少なくとも一部をその少なくとも１つのＵＥのサービングネットワークセルに示すモジュール１９０６と、を含むことができる。
【００８０】
図２０に移ると、例のワイヤレス通信システム２０００が示されている。一例では、システム２０００を、複数のユーザをサポートするように構成することができ、このシステム２０００では、さまざまな開示される実施形態および態様を実施することができる。図２０に示されているように、たとえば、システム２０００は、複数のセル２００２（たとえば、マクロセル２００２ａ〜２００２ｇ）に通信を提供することができ、それぞれのセルは、対応するアクセスポイント（ＡＰ）２００４（たとえば、ＡＰ  ２００４ａ〜２００４ｇ）によってサービスされる。一例では、１つまたは複数のセルを、さらに、それぞれのセクタ（図示せず）に分割することができる。本明細書で使用される時に、ＡＰを、基地局、ノードＢ、ｅＮＢ（Evolved Node B）などと称することもできる。
【００８１】
図２０にさらに示されているように、アクセス端末（ＡＴ）２００６ａ〜２００６ｋを含むさまざまなＡＴ２００６を、システム２０００全体に散在させることができる。本明細書で使用される時に、ＡＴを、端末、ユーザ、ＵＥなどとも称することができる。一例では、ＡＴ２００６は、そのＡＴがアクティブであるかどうかおよびそのＡＴがソフトハンドオフ状態および／または別の類似する状態であるかどうかに依存して、所与の瞬間に順方向リンク（ＦＬ）および／または逆方向リンク（ＲＬ）で１つまたは複数のＡＰ２００４と通信することができる。本明細書で使用される時に、および一般に当技術分野で、ＡＴ  ２００６を、ユーザ機器（ＵＥ）、移動体端末、および／または任意の他の適切な術語で呼ぶこともできる。一態様によれば、システム２０００は、実質的に大きい地理的領域にわたってサービスを提供することができる。たとえば、マクロセル２００２ａ〜２００２ｇは、近傍内の複数のブロックのカバレージおよび／または別の同様に適切なカバレージエリアを提供することができる。
【００８２】
ここで図２１を参照すると、本明細書で説明されるさまざまな態様がその中で機能できる例のワイヤレス通信システム２１００を示すブロック図が提供される。一例では、システム２１００は、送信機システム２１１０および受信機システム２１５０を含む多入力多出力（ＭＩＭＯ）システムである。しかし、送信機システム２１１０および／または受信機システム２１５０を、たとえば複数の送信アンテナ（たとえば、基地局上の）が単一アンテナデバイス（たとえば、移動局）に１つまたは複数のシンボルストリームを送信できる、多入力単一出力システムに適用することもできることを理解されたい。さらに、本明細書で説明される送信機システム２１１０および／または受信機システム２１５０の諸態様を、単一入力アンテナシステムへの単一出力に関連して利用できることを理解されたい。
【００８３】
一態様によれば、複数のデータストリームのトラフィックデータが、送信機システム２１１０で、データ送信装置２１１２から送信（ＴＸ）データプロセッサ２１１４に供給される。一例では、各データストリームを、それぞれの送信アンテナ２１２４を介して送信することができる。さらに、ＴＸデータプロセッサ２１１４は、コーディングされたデータを提供するために、各それぞれのデータストリームについて選択された特定のコーディングスキームに基づいて、各データストリームのトラフィックデータをフォーマットし、符号化し、インターリーブすることができる。一例では、各データストリームのコーディングされたデータを、直交周波数分割多重技法を使用してパイロットデータと多重化することができる。パイロットデータは、たとえば、既知の形で処理される既知のデータパターンとすることができる。さらに、パイロットデータを、チャネル応答を推定するために受信機システム２１５０で使用することができる。送信機システム２１１０に戻って、各データストリームの多重化されたパイロットデータおよびコーディングされたデータを、変調シンボルを提供するために各それぞれのデータストリームについて選択された特定の変調スキーム（たとえば、ＢＰＳＫ、ＱＳＰＫ、Ｍ−ＰＳＫ、またはＭ−ＱＡＭ）に基づいて変調（すなわち、シンボルマッピング）することができる。一例では、各データストリームのデータレート、コーディング、および変調を、プロセッサ２１３０によって実行され、かつ／または供給される命令によって決定することができる。
【００８４】
次に、すべてのデータストリームの変調シンボルを、変調シンボル（たとえば、直交周波数分割多重に関する）をさらに処理できるＴＸプロセッサ２１２０に供給することができる。ＴＸ  ＭＩＭＯプロセッサ２１２０は、ＮT個の変調シンボルストリームをＮT個のトランシーバ２１２２ａから２１２２ｔに供給する。一例では、各トランシーバ２１２２は、１つまたは複数のアナログ信号を供給するためにそれぞれのシンボルストリームを受信し、処理することができる。次に、各トランシーバ２１２２は、ＭＩＭＯチャネルを介する送信に適切な変調された信号を供給するために、アナログ信号をさらに調整する（たとえば、増幅し、フィルタリングし、アップコンバートする）ことができる。したがって、トランシーバ２１２２ａから２１２２ｔからのＮT個の変調された信号を、それぞれＮT個のアンテナ２１２４ａから２１２４ｔから送信することができる。
【００８５】
別の態様によれば、送信された変調された信号を、ＮR個のアンテナ２１５２ａから２１５２ｒによって受信機システム２１５０で受信することができる。次に、各アンテナ２１５２からの受信信号を、それぞれのトランシーバ２１５４に供給することができる。一例では、各トランシーバ２１５４は、それぞれの受信信号を調整し（たとえば、フィルタリングし、増幅し、ダウンコンバートし）、サンプルを供給するために条件付けられた信号をデジタル化し、その後、対応する「受信」シンボルストリームを供給するためにサンプルを処理することができる。次に、ＲＸ  ＭＩＭＯ／データプロセッサ２１６０は、ＮT個の「検出された」シンボルストリームを供給するために、特定の受信機処理技法に基づいて、ＮR個の受信シンボルストリームをＮR個のトランシーバ２１５４から受信し、処理することができる。一例では、各検出されたシンボルストリームは、対応するデータストリームのために送信された変調シンボルの推定値であるシンボルを含むことができる。次に、ＲＸプロセッサ２１６０は、対応するデータストリームのトラフィックデータを回復するために、少なくとも部分的に、各検出されたシンボルストリームを復調し、デインタリーブし、復号することによって、各シンボルストリームを処理することができる。したがって、ＲＸプロセッサ２１６０による処理は、送信機システム２１１０でＴＸ  ＭＩＭＯプロセッサ２１２０およびＴＸデータプロセッサ２１１６によって実行される処理に相補的とすることができる。ＲＸプロセッサ２１６０は、さらに、処理されたシンボルストリームをデータシンク２１６４に供給することができる。
【００８６】
一態様によれば、ＲＸプロセッサ２１６０によって生成されたチャネル応答推定値を、受信機で空間／時間処理を実行し、電力レベルを調整し、変調レートもしくは変調スキームを変更し、および／または他の適切なアクションのために使用することができる。さらに、ＲＸプロセッサ２１６０は、たとえば検出されたシンボルストリームの信号対雑音干渉比（ＳＮＲ：signal-to-noise-and-interference ratio）などのチャネル特性をさらに推定することができる。次に、ＲＸプロセッサ２１６０は、推定されたチャネル特性をプロセッサ２１７０に供給することができる。一例では、ＲＸプロセッサ２１６０および／またはプロセッサ２１７０は、さらに、システムの「動作」ＳＮＲの推定値を導出することができる。次に、プロセッサ２１７０は、通信リンクおよび／または受信されたデータ流れに関する情報を備えることができるＣＳＩ（channel state information）を供給することができる。この情報は、たとえば、動作ＳＮＲを含むことができる。次に、ＣＳＩを、ＴＸデータプロセッサ２１１８によって処理し、変調器２１８０によって変調し、トランシーバ２１５４ａから２１５４ｒによって条件付け、送信機システム２１１０に戻って送信することができる。さらに、受信機システム２１５０のデータ送信装置２１１６は、ＴＸデータプロセッサ２１１８によって処理されるべき追加データを供給することができる。
【００８７】
送信機システム２１１０に戻って、受信機システム２１５０によって報告されたＣＳＩを回復するために、受信機システム２１５０からの変調された信号を、アンテナ２１２４によって受信し、トランシーバ２１２２によって条件付け、復調器２１４０によって復調し、ＲＸデータプロセッサ２１４２によって処理することができる。一例では、次に、報告されたＣＳＩを、プロセッサ２１３０に供給し、データレートならびに１つまたは複数のデータストリームに使用されるコーディングスキームおよび変調スキームを判定するのに使用することができる。次に、判定されたコーディングスキームおよび変調スキームを、量子化および／または受信機システム２１５０への後の送信での使用のために、トランシーバ２１２２に供給することができる。それに加えておよび／またはその代わりに、報告されたＣＳＩを、ＴＸデータプロセッサ２１１４およびＴＸ  ＭＩＭＯプロセッサ２１２０に関するさまざまな制御を生成するためにプロセッサ２１３０によって使用することができる。別の例では、ＣＳＩおよび／またはＲＸデータプロセッサ２１４２によって処理された他の情報を、データ受信装置２１４４に供給することができる。
【００８８】
一例では、送信機システム２１１０のプロセッサ２１３０および受信機システム２１５０のプロセッサ２１７０は、そのそれぞれのシステムで動作を指示する。さらに、送信機システム２１１０のメモリ２１３２および受信機システム２１５０のメモリ２１７２は、それぞれプロセッサ２１３０および２１７０によって使用されるプログラムコードおよびデータのストレージを提供することができる。さらに、受信機システム２１５０では、さまざまな処理技法を、ＮT個の送信されるシンボルストリームを検出するためにＮR個の受信信号を処理するのに使用することができる。これらの受信機処理技法は、等化技法と呼ぶこともできる空間受信機処理技法および時空間受信機処理技法、ならびに／あるいは「連続干渉除去」受信機処理技法または「連続キャンセル」受信機処理技法と呼ぶこともできる「連続ヌリング／等化および干渉除去（successive nulling/equalization and interference cancellation）」受信機処理技法を含むことができる。
【００８９】
本明細書で説明された諸態様を、ハードウェア、ソフトウェア、ファームウェア、ミドルウェア、マイクロコード、またはその任意の組合せによって実施できることを理解されたい。システムおよび／または方法が、ソフトウェア、ファームウェア、ミドルウェアもしくはマイクロコード、プログラムコード、またはコードセグメントで実施される時に、システムおよび／または方法を、ストレージコンポーネントなどの機械可読媒体に格納することができる。コードセグメントは、プロシージャ、関数、サブプログラム、プログラム、ルーチン、サブルーチン、モジュール、ソフトウェアパッケージ、クラス、または命令、データ構造、もしくはプログラムステートメントの任意の組合せを表すことができる。コードセグメントを、情報、データ、引数、パラメータ、またはメモリ内容をパスすることおよび／または受信することによって、別のコードセグメントまたはハードウェア回路に結合することができる。情報、引数、パラメータ、データなどを、メモリ共用、メッセージパッシング、トークンパッシング、ネットワーク送信などを含む任意の適切な手段を使用して、パスし、転送し、または送信することができる。
【００９０】
ソフトウェア実施態様について、本明細書で説明される技法を、本明細書で説明される機能を実行するモジュール（たとえば、プロシージャ、関数など）を用いて実施することができる。ソフトウェアコードを、メモリユニット内に格納し、プロセッサによって実行することができる。メモリユニットを、プロセッサ内またはプロセッサの外部で実施することができ、後者の場合に、メモリユニットを、当技術分野で既知のように、さまざまな手段を介してプロセッサに通信的に結合することができる。
【００９１】
上で説明されたものは、１つまたは複数の態様の例を含む。もちろん、前述の態様の説明においてコンポーネントまたは方法のすべての考えられる組合せを記述することは不可能であるが、当業者は、さまざまな態様の多数のさらなる組合せおよび置換が可能であることを認めるであろう。したがって、説明された態様は、添付の特許請求の範囲の趣旨および範囲に含まれるすべてのそのような代替形態、修正形態、および変形形態を包含することが意図されている。さらに、用語「含む（ｉｎｃｌｕｄｅｓ）」が、この詳細な説明または特許請求の範囲のいずれかで使用される範囲で、そのような用語は、用語「備える（ｃｏｍｐｒｉｓｉｎｇ）」が特許請求の範囲で前後を接続させる語として使用される時に「備える（ｃｏｍｐｒｉｓｉｎｇ）」が解釈されるのに似た形で包括的であることが意図されている。さらに、この詳細な説明または特許請求の範囲のいずれかで使用される時の用語「または」は、「非排他的なまたは」であることが意図されている。
【図１】
2014078989.tif 000003
【図２】
2014078989.tif 000004
【図３】
2014078989.tif 000005
【図４】
2014078989.tif 000006
【図５】
2014078989.tif 000007
【図６】
2014078989.tif 000008
【図７】
2014078989.tif 000009
【図８】
2014078989.tif 000010
【図９】
2014078989.tif 000011
【図１０】
2014078989.tif 000012
【図１１】
2014078989.tif 000013
【図１２】
2014078989.tif 000014
【図１３】
2014078989.tif 000015
【図１４】
2014078989.tif 000016
【図１５】
2014078989.tif 000017
【図１６】
2014078989.tif 000018
【図１７】
2014078989.tif 000019
【図１８】
2014078989.tif 000020
【図１９】
2014078989.tif 000021
【図２０】
2014078989.tif 000022
【図２１】
2014078989.tif 000023
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
サービングネットワークセルおよび補助ネットワークセルによって協調して行われる少なくとも１つのデータ送信の受信のために、制御シグナリングをユーザ機器ユニット（ＵＥ）において受信することであって、前記制御シグナリングの一部分は、前記サービングネットワークセルから前記補助ネットワークセルへと渡され、または前記サービングネットワークセルを通じてトンネルを経由して前記補助ネットワークセルから送られる、受信することと、
コアネットワークからルーティングされたデータの第１の部分を、前記サービングネットワークセル及び前記補助ネットワークセルからの前記少なくとも１つのデータ送信で前記ＵＥにおいて受信することとを備える方法であって、前記サービングネットワークセルから受信される前記データの前記第１の部分が、前記ＵＥへの送信のために前記コアネットワークから前記サービングネットワークセルにルーティングされ、前記補助ネットワークセルから受信される前記データの前記第１の部分が、前記サービングネットワークセルを経由したルーティングをされずに、前記ＵＥへの送信のために前記コアネットワークから前記補助ネットワークセルにルーティングされる、方法。
【請求項２】
前記少なくとも１つの送信は、変調シンボルのセットに対応する、
請求項１に記載の方法。
【請求項３】
前記サービングネットワークセルおよび前記補助ネットワークセルは、それぞれのビームフォーミング重みを前記変調シンボルのセット内のそれぞれの変調シンボルに適用する、
請求項２に記載の方法。
【請求項４】
前記制御シグナリングは、前記サービングネットワークセルおよび前記補助ネットワークセルによって適用されるそれぞれのビームフォーミング重みを示す情報を含む、
請求項３に記載の方法。
【請求項５】
前記制御シグナリングは、前記サービングネットワークセルから送られた物理ダウンリンク制御チャネル（ＰＤＣＣＨ）割当て情報を含む、
請求項１に記載の方法。
【請求項６】
前記制御シグナリングは、ビーム方向情報を含む、請求項５に記載の方法。
【請求項７】
前記制御シグナリングは、前記補助ネットワークセルからのＰＤＣＣＨ割当て情報とは異なる情報を含む、
請求項５に記載の方法。
【請求項８】
前記補助ネットワークセルからのＰＤＣＣＨ割当て情報とは異なる前記情報は、肯定応答（ＡＣＫ）情報を含む、請求項７に記載の方法。
【請求項９】
サービングネットワークセルおよび補助ネットワークセルに関連するデータを格納するメモリと、
プロセッサであって、
サービングネットワークセルおよび補助ネットワークセルによって協調して行われる少なくとも１つのデータ送信の受信のために、制御シグナリングをユーザ機器ユニット（ＵＥ）において受信することであって、前記制御シグナリングの一部分は、前記サービングネットワークセルから前記補助ネットワークセルへと渡され、または前記サービングネットワークセルを通じてトンネルを経由して前記補助ネットワークセルから送られる、受信することと、
前記サービングネットワークセルおよび前記補助ネットワークセルから前記少なくとも１つのデータ送信で前記ＵＥにおいて、コアネットワークからルーティングされたデータの第１の部分を受信することであって、前記サービングネットワークセルから受信される前記データの前記第１の部分が、前記ＵＥへの送信のために前記コアネットワークから前記サービングネットワークセルにルーティングされ、前記補助ネットワークセルから受信される前記データの前記第１の部分が、前記サービングネットワークセルを経由したルーティングをされずに、前記ＵＥへの送信のために前記コアネットワークから前記補助ネットワークセルにルーティングされる、受信することと、
を行うように構成されたプロセッサと、を備えるワイヤレス通信装置。
【請求項１０】
前記データの前記第１の部分は、前記サービングネットワークセルと前記補助ネットワークセルとの間で実行される調整ビームフォーミングに基づいて、前記補助ネットワークセルから送られる、請求項９に記載のワイヤレス通信装置。
【請求項１１】
前記制御シグナリングは、前記サービングネットワークセルから送られる物理ダウンリンク制御チャネル（ＰＤＣＣＨ）割当て情報を含む、
請求項９に記載のワイヤレス通信装置。
【請求項１２】
前記制御シグナリングは、前記補助ネットワークセルからのＰＤＣＣＨ割当て情報と異なる情報を含む、
請求項１１に記載のワイヤレス通信装置。
【請求項１３】
前記プロセッサは、前記補助ネットワークセルと肯定応答（ＡＣＫ）情報を交換するようにさらに構成される、
請求項９に記載のワイヤレス通信装置。
【請求項１４】
サービングネットワークセルおよび補助ネットワークセルによって協調して行われる少なくとも１つのデータ送信の受信のために、制御シグナリングをユーザ機器ユニット（ＵＥ）において受信するための手段であって、前記制御シグナリングの一部分は、前記サービングネットワークセルから前記補助ネットワークセルへと渡され、または前記サービングネットワークセルを通じてトンネルを経由して前記補助ネットワークセルから送られる、手段と、
コアネットワークからルーティングされたデータの第１の部分を前記サービングネットワークセル及び前記補助ネットワークセルからの前記少なくとも１つのデータ送信で前記ＵＥにおいて受信するための手段と、
を備える装置であって、前記サービングネットワークセルから受信される前記データの前記第１の部分が、前記ＵＥへの送信のために前記コアネットワークから前記サービングネットワークセルにルーティングされ、前記補助ネットワークセルから受信される前記データの前記第１の部分が、前記サービングネットワークセルを経由したルーティングをされずに、前記ＵＥへの送信のために前記コアネットワークから前記補助ネットワークセルにルーティングされる
装置。
【請求項１５】
前記データの前記第１の部分は、前記サービングネットワークセルと前記補助ネットワークセルとの間で実行される調整ビームフォーミングに基づいて前記補助ネットワークセルから送られる、
請求項１４に記載の装置。
【請求項１６】
前記制御シグナリングは、前記サービングネットワークセルから送られた物理ダウンリンク制御チャネル（ＰＤＣＣＨ）割当て情報を含む、
請求項１４に記載の装置。
【請求項１７】
前記制御シグナリングは、前記補助ネットワークセルからの、ＰＤＣＣＨ割当て情報とは別個の情報を含む、
請求項１６に記載の装置。
【請求項１８】
コンピュータに、サービングネットワークセルおよび補助ネットワークセルによって協調して行われる少なくとも１つの送信の受信のために、制御シグナリングをユーザ機器（ＵＥ）において受信させるコードであって、前記制御シグナリングの一部分は、前記サービングネットワークセルから前記補助ネットワークセルへと渡され、または前記サービングネットワークセルを通じてトンネルを経由して前記補助ネットワークセルから送られる、コードと、
コンピュータに、コアネットワークからルーティングされたデータの第１の部分を前記サービングネットワークセルおよび前記補助ネットワークセルからの前記少なくとも１つの送信で前記ＵＥにおいて受信させるコードと、を備えるコンピュータ可読媒体、
を備えるコンピュータプログラム製品であって、前記サービングネットワークセルから受信される前記データの前記第１の部分が、前記ＵＥへの送信のために前記コアネットワークから前記サービングネットワークセルにルーティングされ、前記補助ネットワークセルから受信される前記データの前記第１の部分が、前記サービングネットワークセルを経由したルーティングをされずに、前記ＵＥへの送信のために前記コアネットワークから前記補助ネットワークセルにルーティングされる
コンピュータプログラム製品。
【請求項１９】
前記データの第１の部分は、前記サービングネットワークセルと補助ネットワークセルとの間で実行される調整ビームフォーミングに基づいて前記補助ネットワークセルから送られる
請求項１８に記載のコンピュータプログラム製品。
【請求項２０】
前記制御シグナリングは、前記サービングネットワークセルから送られたダウンリンク制御チャネル（ＰＤＣＣＨ）割当て情報を含む、
請求項１８に記載のコンピュータプログラム製品。
【請求項２１】
前記制御シグナリングは、前記補助ネットワークセルからの、ＰＤＣＣＨ割当て情報とは別個の情報を含む、
請求項２０に記載のコンピュータプログラム製品。
【請求項２２】
サービングネットワークセルおよび補助ネットワークセルによって協調して行われる少なくとも１つのデータ送信を受信するために少なくとも１つのユーザ機器（ＵＥ）のための制御情報を前記サービングネットワークセルにより送信することであって、
前記制御情報を前記補助ネットワークセルに示すことと、
コアネットワークからルーティングされたデータの第１の部分を含む前記少なくとも１つのデータ送信を協調して行うことと、を備える方法であって、前記サービングネットワークセルから送信される前記データの前記第１の部分が、前記少なくとも１つのＵＥへの送信のために前記コアネットワークから前記サービングネットワークセルにルーティングされ、前記補助ネットワークセルから送信される前記データの前記第１の部分が、前記サービングネットワークセルを経由したルーティングをされずに、前記少なくとも１つのＵＥへの送信のために前記コアネットワークから前記補助ネットワークセルにルーティングされる、方法。
【請求項２３】
前記制御情報は、前記少なくとも１つのデータ送信に関連付けられている物理ダウンリンク制御チャネル（ＰＤＣＣＨ）割当て情報を含む、
請求項２２に記載の方法。
【請求項２４】
前記示すことは、Ｘ２インターフェースを介して前記補助ネットワークセルに前記制御情報を示すことを含む、
請求項２２に記載の方法。
【請求項２５】
前記少なくとも１つのＵＥに対応する制御情報を前記補助ネットワークセルからバックホールインターフェースを介して受信することをさらに備える、
請求項２２に記載の方法。
【請求項２６】
前記バックホールインターフェースは、Ｘ２インターフェースである、
請求項２５に記載の方法。
【請求項２７】
前記少なくとも１つのＵＥに関する肯定応答（ＡＣＫ）情報を前記補助ネットワークセルから受信することと、
少なくとも部分的に前記受信されたＡＣＫ情報に基づいて、データまたは制御情報のうちの前記少なくとも１つに関する送信スケジュールを生成することと、
前記送信スケジュールに基づいて、指定された情報を送信することであって、前記指定された情報は、データまたは制御情報のうちの少なくとも１つを含む、送信することと、
をさらに備える、請求項２２に記載の方法。
【請求項２８】
少なくとも１つのユーザ機器（ＵＥ）および補助ネットワークセルに関連するデータを格納するメモリと、
プロセッサであって、
サービングネットワークセルおよび補助ネットワークセルによって協調して行われる少なくとも１つのデータ送信を受信するために前記少なくとも１つのＵＥのための制御情報を前記サービングネットワークセルにより送信し、
前記送信された制御情報を前記補助ネットワークセルに示し、
コアネットワークからルーティングされたデータの第１の部分を含む前記少なくとも１つのデータ送信を協調して行う、ように構成されたプロセッサと、
を備えるワイヤレス通信装置であって、前記サービングネットワークセルから送信される前記データの前記第１の部分が、前記少なくとも１つの端末への送信のために前記コアネットワークから前記サービングネットワークセルにルーティングされ、前記補助ネットワークセルから送信される前記データの前記第１の部分が、前記サービングネットワークセルを経由したルーティングをされずに、前記少なくとも１つの端末への送信のために前記コアネットワークから前記補助ネットワークセルにルーティングされる、ワイヤレス通信装置。
【請求項２９】
前記少なくとも１つの端末へ送信される前記制御情報は、前記少なくとも１つのデータ送信に関連付けられている物理ダウンリンク制御チャネル（ＰＤＣＣＨ）割当て情報を含む、
請求項２８に記載のワイヤレス通信装置。
【請求項３０】
前記プロセッサは、Ｘ２インターフェースを介して前記送信された制御情報を前記補助ネットワークセルに示すようにさらに構成される、
請求項２８に記載のワイヤレス通信装置。
【請求項３１】
前記プロセッサは、前記少なくとも１つのＵＥに対応する制御情報を前記補助ネットワークセルからバックホールインターフェースを介して受信するようにさらに構成される、
請求項２８に記載のワイヤレス通信装置。
【請求項３２】
前記バックホールインターフェースは、Ｘ２インターフェースである、
請求項３１に記載のワイヤレス通信装置。
【請求項３３】
サービングネットワークセルおよび補助ネットワークセルによって協調して行われる少なくとも１つのデータ送信を受信するために少なくとも１つのユーザ機器（ＵＥ）のための制御情報を前記サービングネットワークセルにより送信するための手段であって、
前記制御情報を前記補助ネットワークセルに示すための手段と、
コアネットワークからルーティングされたデータの第１の部分を含む前記少なくとも１つのデータ送信を協調して行うための手段と、
を備える装置であって、前記サービングネットワークセルから送信される前記データの前記第１の部分が、前記少なくとも１つの端末への送信のために前記コアネットワークから前記サービングネットワークセルにルーティングされ、前記補助ネットワークセルから送信される前記データの前記第１の部分が、前記サービングネットワークセルを経由したルーティングをされずに、前記少なくとも１つの端末への送信のために前記コアネットワークから前記補助ネットワークセルにルーティングされる、装置。
【請求項３４】
前記制御情報は、前記少なくとも１つのデータ送信に関連付けられている物理ダウンリンク制御チャネル（ＰＤＣＣＨ）割当て情報を含む、
請求項３３に記載の装置。
【請求項３５】
バックホールリンクを使用して、制御情報を前記補助ネットワークセルと交換するための手段をさらに備える、
請求項３３に記載の装置。
【請求項３６】
前記バックホールリンクは、Ｘ２インターフェースである、
請求項３５に記載の装置。
【請求項３７】
コンピュータに、サービングネットワークセルおよび補助ネットワークセルによって協調して行われる少なくとも１つのデータ送信を受信するために少なくとも１つのユーザ機器ユニット（ＵＥ）のための制御情報を前記サービングネットワークセルにより送信させるコードであって、
コンピュータに、前記制御情報を前記補助ネットワークセルに示させるコードと、
コンピュータに、コアネットワークからルーティングされたデータの第１の部分を含む前記少なくとも１つのデータ送信を協調して行わせるコードと、
を備えるコンピュータ可読媒体、を備えるコンピュータプログラム製品であって、前記サービングネットワークセルから送信される前記データの前記第１の部分が、前記少なくとも１つの端末への送信のために前記コアネットワークから前記サービングネットワークセルにルーティングされ、前記補助ネットワークセルから送信される前記データの前記第１の部分が、前記サービングネットワークセルを経由したルーティングをされずに、前記少なくとも１つの端末への送信のために前記コアネットワークから前記補助ネットワークセルにルーティングされる、
コンピュータプログラム製品。
【請求項３８】
前記制御情報は、前記少なくとも１つのデータ送信に関連付けられている物理ダウンリンク制御チャネル（ＰＤＣＣＨ）割当て情報を含む、
請求項３７に記載のコンピュータプログラム製品。
【請求項３９】
前記コンピュータ可読媒体は、コンピュータに、バックホールリンクを使用して、制御情報を前記補助ネットワークセルと交換させるコードをさらに備える、
請求項３７に記載のコンピュータプログラム製品。
【請求項４０】
補助ネットワークセルにおいて、サービングネットワークセルおよび前記補助ネットワークセルによって協調して行われる少なくとも１つのデータ送信の少なくとも１つのユーザ機器（ＵＥ）による受信のために制御情報を前記サービングネットワークセルから受信することと、
前記少なくとも１つのデータ送信のためにデータの第１の部分を前記補助ネットワークセルにおいて受信することであって、データの前記第１の部分は、前記サービングネットワークセルを経由したルーティングをされずにコアネットワークから受信される、受信することと、
前記受信した制御情報にしたがって前記少なくとも１つのＵＥへデータの前記第１の部分を前記少なくとも１つのデータ送信で協調して送信することと、
を備え、前記サービングネットワークセルから送信されたデータの前記第１の部分が前記少なくとも１つのＵＥへの送信のために前記コアネットワークから前記サービングネットワークセルにルーティングされる、方法。
【請求項４１】
前記制御情報は、前記少なくとも１つのデータ送信に関連付けられている物理ダウンリンク制御チャネル（ＰＤＣＣＨ）割当て情報を含む、
請求項４０に記載の方法。
【請求項４２】
前記制御情報は、前記ＰＤＣＣＨ割当て情報と異なる情報を含む、
請求項４１に記載の方法。
【請求項４３】
前記サービングネットワークセルに、バックホールインターフェースを介して、前記受信された制御情報をトンネリングすること、
をさらに備える、請求項４０に記載の方法。
【請求項４４】
前記バックホールインターフェースは、Ｘ２インターフェースである、
請求項４３に記載の方法。
【請求項４５】
前記少なくとも１つのＵＥで観察される干渉に関連する制御情報を受信することと、
前記少なくとも１つのＵＥで観察される前記干渉が実質的に最小化されるように、１つまたは複数の送信パラメータを選択することと、
前記１つまたは複数の送信パラメータに従って通信することと、
をさらに備える、
請求項４０に記載の方法。
【請求項４６】
前記１つまたは複数の送信パラメータは、送信電力パラメータおよびビーム方向パラメータのうちの少なくとも１つを含む、
請求項４５に記載の方法。
【請求項４７】
少なくとも１つのユーザ機器ユニット（ＵＥ）および前記少なくとも１つのＵＥのサービングネットワークセルに関連するデータを格納するメモリと、
プロセッサであって、
補助ネットワークセルにおいて、前記サービングネットワークセルおよび前記補助ネットワークセルによって協調して行われる前記少なくとも１つのデータ送信の少なくとも１つのＵＥによる受信のために制御情報をサービングネットワークセルから受信し、
前記補助セルにおいて、少なくとも１つのデータ送信のためにデータの第１の部分を受信し、ここで、前記データの前記第１の部分は、前記サービングネットワークセルを経由したルーティングをされずに前記コアネットワークから受信され、
前記受信された制御情報に従って、前記少なくとも１つのデータ送信で、前記少なくとも１つのＵＥへ前記データの第１の部分を協調して送信する、ように構成されたプロセッサと、
を備え、前記サービングネットワークセルから送信されるデータの前記第１の部分が前記少なくとも１つのＵＥへの送信のために前記コアネットワークから前記サービングネットワークセルにルーティングされる、ワイヤレス通信装置。
【請求項４８】
前記受信される制御情報は、前記少なくとも１つのデータ送信に関連付けられている物理ダウンリンク制御チャネル（ＰＤＣＣＨ）割当て情報を含む、
請求項４７に記載のワイヤレス通信装置。
【請求項４９】
前記プロセッサは、データまたは制御情報のうちの少なくとも１つをバックホールインターフェースを介して前記サービングネットワークセルと交換するようにさらに構成される、
請求項４７に記載のワイヤレス通信装置。
【請求項５０】
前記バックホールインターフェースは、Ｘ２インターフェースである、
請求項４９に記載のワイヤレス通信装置。
【請求項５１】
前記プロセッサは、前記少なくとも１つのＵＥで観察される干渉に関連する制御情報を前記サービングネットワークセルと交換し、
前記少なくとも１つのＵＥで観察される前記干渉が実質的に最小化されるように、１つまたは複数の送信パラメータを選択し、
前記１つまたは複数の送信パラメータに従って通信するようにさらに構成される、
請求項４７に記載のワイヤレス通信装置。
【請求項５２】
補助ネットワークセルにおいて、サービングネットワークセルおよび補助ネットワークセルによって協調して行われる少なくとも１つのデータ送信の少なくとも１つのユーザ機器（ＵＥ）による受信のために制御情報を前記サービングネットワークセルから受信するための手段と、
前記補助ネットワークセルにおいて、前記少なくとも１つのデータ送信のためのデータの第１の部分を受信するための手段であって、データの前記第１の部分が、前記サービングネットワークを経由したルーティングをされずに前記コアネットワークから受信される、受信するための手段と、
前記受信された制御情報に従ってデータの前記第１の部分を前記少なくとも１つのデータ送信で前記少なくとも１つのＵＥへ協調して送信するための手段と、
を備える装置であって、前記サービングネットワークセルから送信されるデータの前記第１の部分が前記少なくとも１つのＵＥへの送信のために前記コアネットワークから前記サービングネットワークセルにルーティングされる、装置。
【請求項５３】
前記制御情報は、前記少なくとも１つのデータ送信に関連付けられている物理ダウンリンク制御チャネル（ＰＤＣＣＨ）割当て情報を含む、
請求項５２に記載の装置。
【請求項５４】
データまたは制御情報のうちの少なくとも１つをバックホールインターフェースを介して前記サービングネットワークセルと交換するための手段をさらに備える、
請求項５２に記載の装置。
【請求項５５】
前記制御情報を受信するための手段は、
前記少なくとも１つのＵＥにおいて観察される干渉に関連する制御情報を交換するための手段と、
前記少なくとも１つのＵＥにおいて観察される前記干渉が実質的に最小化されるように、１つまたは複数の送信パラメータを選択するための手段と、
前記１つまたは複数の送信パラメータに従って前記それぞれの後続通信を行うための手段と、
をさらに含む、
請求項５２に記載の装置。
【請求項５６】
コンピュータに、サービングネットワークセルおよび補助ネットワークセルによって協調して行われる少なくとも１つのデータ送信の少なくとも１つのユーザ機器（ＵＥ）による受信のために前記サービングネットワークセルからの制御情報を前記補助ネットワークセルにおいて受信させるコードと、
コンピュータに、前記補助ネットワークセルにおいて少なくとも１つのデータ送信のためにデータの第１の部分を受信させるためのコードであって、前記データは、前記サービングネットワークセルを経由したルーティングをされずに前記コアネットワークから受信されるコードと、
コンピュータに、前記受信された制御情報に従って前記データの前記第１の部分を前記少なくとも１つのＵＥに前記少なくとも１つのデータ送信で協調して送信させるコードと、
を備えるコンピュータ可読媒体、を備えるコンピュータプログラムであって、前記サービングネットワークセルから送信される前記データの前記第１の部分が、前記少なくとも１つのＵＥへの送信のために前記コアネットワークから前記サービングネットワークセルにルーティングされる、コンピュータプログラム。
【請求項５７】
制御情報は、前記少なくとも１つのデータ送信に関連付けられている物理ダウンリンク制御チャネル（ＰＤＣＣＨ）割当て情報を含む、
請求項５６に記載のコンピュータプログラム製品。
【請求項５８】
前記コンピュータ可読媒体は、コンピュータに、制御情報をバックホールインターフェースを介して前記サービングネットワークセルと交換させるコードをさらに備える、
請求項５６に記載のコンピュータプログラム製品。
【請求項５９】
コンピュータに制御情報の１つまたは複数の通信を受信させる前記コードは、
コンピュータに、前記少なくとも１つのＵＥにおいて観察される干渉に関連する制御情報を交換させるコードと、
前記少なくとも１つのＵＥにおいて観察される前記干渉が実質的に最小化されるように、コンピュータに、１つまたは複数の送信パラメータを選択させるコードと、
コンピュータに、前記１つまたは複数の選択された送信パラメータに従って前記それぞれの後続通信を行わせるコードと、
をさらに含む、
請求項５６に記載のコンピュータプログラム製品。
【請求項６０】
前記サービングネットワークセルにおいて、コアネットワークエンティティからの制御情報の第１のセットを受信することと、
前記少なくとも１つのＵＥへの送信のために、前記制御情報の第１のセットの少なくとも第１の部分を前記補助ネットワークセルにルーティングすることと、
前記制御情報の第１のセットの少なくとも第２の部分を前記少なくとも１つのＵＥへ送信することと、
をさらに備える請求項２２に記載の方法。
【請求項６１】
前記少なくとも１つのＵＥからの制御シグナリングを受信することと、
前記制御シグナリングの少なくとも第１の部分を前記コアネットワークエンティティへ送信することとをさらに備える、
請求項６０に記載の方法。
【請求項６２】
前記制御シグナリングの少なくとも第２の部分を前記補助ネットワークセルにルーティングすることをさらに備える、
請求項６１に記載の方法。
【請求項６３】
前記制御情報の第１のセットの第２の部分は、物理ダウンリンク制御チャネル（ＰＤＣＣＨ）割当て情報を含む、
請求項６０に記載の方法。
【請求項６４】
前記プロセッサは、さらに、
前記サービングネットワークセルにおいて、コアネットワークからの制御情報の第１のセットを受信し、
前記制御情報の第１のセットの少なくとも第１の部分を前記補助ネットワークセルにルーティングし、
前記制御情報の第１のセットの少なくとも第２の部分を前記少なくとも１つのＵＥへ送信する、
ように構成される、請求項２８に記載のワイヤレス通信装置。
【請求項６５】
前記プロセッサは、
前記少なくとも１つのＵＥからの制御シグナリングを受信し、
前記制御シグナリングの少なくとも第１の部分を前記関連するコアネットワークに送信する、ようにさらに構成される、
請求項６４に記載のワイヤレス通信装置。
【請求項６６】
前記プロセッサは、前記制御シグナリングの少なくとも第２の部分を前記補助ネットワークセルにルーティングするようにさらに構成される、
請求項６５に記載のワイヤレス通信装置。
【請求項６７】
前記サービングネットワークセルにおいて、コアネットワークエンティティからの制御情報の第１のセットを受信するための手段と、
前記少なくとも１つのＵＥへの送信のために、前記制御情報の第１のセットの少なくとも第１の部分を前記補助ネットワークセルにルーティングするための手段と、
前記制御情報の第１のセットの少なくとも第２の部分を前記少なくとも１つのＵＥへ送信するための手段と、
をさらに備える、請求項３３に記載の装置。
【請求項６８】
前記少なくとも１つのＵＥからの制御シグナリングを受信するための手段と、
前記制御シグナリングの少なくとも第１の部分を前記コアネットワークエンティティへ送信するための手段と、
をさらに備える、
請求項６７に記載の装置。
【請求項６９】
前記コンピュータ可読媒体は、さらに、
コンピュータに、前記サービングネットワークセルにおいて、コアネットワークエンティティからの制御情報の第１のセットを受信させるコードと、
コンピュータに、前記少なくとも１つのＵＥへの送信のために、前記制御情報の第１のセットの少なくとも第１の部分を前記補助ネットワークセルにルーティングさせるコードと、
コンピュータに、前記第１の制御情報の少なくとも第２の部分を、前記少なくとも１つのＵＥへ送信させるためのコードと、
をさらに備える、請求項３７に記載のコンピュータプログラム製品。
【請求項７０】
前記サービングネットワークセルおよび前記補助ネットワークセルからの調整ビームフォーミングを実行するために、前記サービングネットワークセルと前記補助ネットワークセルとの間で追加の制御情報を交換することをさらに備える、
請求項６０に記載の方法。
【請求項７１】
前記補助ネットワークセルへ前記制御情報を示すことは、前記サービングネットワークセルからの物理ダウンリンク制御チャネル（ＰＤＣＣＨ）割当て情報を含む制御シグナリングを、前記補助ネットワークセルへ送信することを含む、
請求項６０に記載の方法。
【請求項７２】
前記ＰＤＣＣＨ割当て情報は、ビーム方向情報を含む、請求項７１に記載の方法。
【請求項７３】
前記制御情報の第１のセットの第１の部分の送信に関連する前記補助ネットワークセルからの制御シグナリングを受信することと、
前記制御シグナリングの少なくとも一部を前記コアネットワークエンティティへ送信することと、
をさらに備える、請求項６０に記載の方法。
【請求項７４】
前記補助ネットワークセルおよび前記サービングネットワークセルからの協調送信を調整するために、前記サービングネットワークセルからの制御シグナリングを前記補助ネットワークセルへ送信することをさらに備える、
請求項６０に記載の方法。
【手続補正２】
【補正対象書類名】明細書
【補正対象項目名】００９１
【補正方法】変更
【補正の内容】
【００９１】
上で説明されたものは、１つまたは複数の態様の例を含む。もちろん、前述の態様の説明においてコンポーネントまたは方法のすべての考えられる組合せを記述することは不可能であるが、当業者は、さまざまな態様の多数のさらなる組合せおよび置換が可能であることを認めるであろう。したがって、説明された態様は、添付の特許請求の範囲の趣旨および範囲に含まれるすべてのそのような代替形態、修正形態、および変形形態を包含することが意図されている。さらに、用語「含む（ｉｎｃｌｕｄｅｓ）」が、この詳細な説明または特許請求の範囲のいずれかで使用される範囲で、そのような用語は、用語「備える（ｃｏｍｐｒｉｓｉｎｇ）」が特許請求の範囲で前後を接続させる語として使用される時に「備える（ｃｏｍｐｒｉｓｉｎｇ）」が解釈されるのに似た形で包括的であることが意図されている。さらに、この詳細な説明または特許請求の範囲のいずれかで使用される時の用語「または」は、「非排他的なまたは」であることが意図されている。
以下に、本願の出願当初請求項に記載された発明を付記する。
［Ｃ１］
サービングネットワークセルおよび補助ネットワークセルを識別することと、
制御情報を少なくとも前記サービングネットワークセルと交換することと、
前記サービングネットワークセルおよび前記補助ネットワークセルによって協調して行われる少なくとも１つの送信でデータを交換することと、
を備える方法。
［Ｃ２］
前記データを交換することは、前記少なくとも１つの送信で前記サービングネットワークセルおよび前記補助ネットワークセルとデータを交換することを備える、
上記Ｃ１に記載の方法。
［Ｃ３］
前記少なくとも１つの送信は、変調シンボルのセットに対応する、
上記Ｃ２に記載の方法。
［Ｃ４］
前記サービングネットワークセルおよび前記補助ネットワークセルは、それぞれのビームフォーミング重みを前記変調シンボルのセット内のそれぞれの変調シンボルに適用する、
上記Ｃ３に記載の方法。
［Ｃ５］
前記サービングネットワークセルまたは前記補助ネットワークセルのうちの少なくとも１つから前記サービングネットワークセルおよび前記補助ネットワークセルによって適用されるそれぞれのビームフォーミング重みを示す情報を受信することをさらに備える、
上記Ｃ４に記載の方法。
［Ｃ６］
前記データを交換することは、前記サービングネットワークセルと前記補助ネットワークセルとの間で実行される調整ビームフォーミングに基づいて、前記サービングネットワークセルまたは前記補助ネットワークセルのうちの１つとデータを交換することを備える、
上記Ｃ１に記載の方法。
［Ｃ７］
前記制御情報を交換することは、前記サービングネットワークセルからＰＤＣＣＨ（Physical Downlink Control Channel）割当て情報を受信することを備える、
上記Ｃ１に記載の方法。
［Ｃ８］
前記ＰＤＣＣＨ割当て情報は、ビーム方向情報を備える、
上記Ｃ７に記載の方法。
［Ｃ９］
ＰＤＣＣＨ割当て情報と異なる制御情報を前記サービングネットワークセルまたは前記補助ネットワークセルのうちの少なくとも１つと交換することをさらに備える、
上記Ｃ１に記載の方法。
［Ｃ１０］
前記制御情報を交換することは、前記サービングネットワークセルまたは前記補助ネットワークセルのうちの少なくとも１つと肯定応答（ＡＣＫ）情報を交換することを備える、
上記Ｃ１に記載の方法。
［Ｃ１１］
サービングネットワークセルおよび補助ネットワークセルに関連するデータを格納するメモリと、
制御シグナリングを少なくとも前記サービングネットワークセルと交換し、前記サービングネットワークセルおよび前記補助ネットワークセルによって協調して行われる少なくとも１つの送信でデータを交換するように構成されたプロセッサと、
を備えるワイヤレス通信装置。
［Ｃ１２］
前記プロセッサは、少なくとも１つの共同送信で前記サービングネットワークセルおよび前記補助ネットワークセルとデータを交換するようにさらに構成される、
上記Ｃ１１に記載のワイヤレス通信装置。
［Ｃ１３］
前記プロセッサは、前記サービングネットワークセルと前記補助ネットワークセルとの間で実行される調整ビームフォーミングに基づいて、前記サービングネットワークセルまたは前記補助ネットワークセルのうちの１つとデータを交換するようにさらに構成される、
上記Ｃ１１に記載のワイヤレス通信装置。
［Ｃ１４］
前記プロセッサは、ＰＤＣＣＨ（Physical Downlink Control Channel）割当て情報を前記サービングネットワークセルと交換するようにさらに構成される、
上記Ｃ１１に記載のワイヤレス通信装置。
［Ｃ１５］
前記プロセッサは、ＰＤＣＣＨ割当て情報と異なる制御情報を前記サービングネットワークセルまたは前記補助ネットワークセルのうちの少なくとも１つと交換するようにさらに構成される、
上記Ｃ１１に記載のワイヤレス通信装置。
［Ｃ１６］
前記プロセッサは、前記サービングネットワークセルまたは前記補助ネットワークセルのうちの少なくとも１つと肯定応答（ＡＣＫ）情報を交換するようにさらに構成される、
上記Ｃ１１に記載のワイヤレス通信装置。
［Ｃ１７］
サービングセルとの１つまたは複数の制御通信を行うための手段と、
１つまたは複数のデータ通信を行うための手段と、
を備え、それぞれのデータ通信は、前記サービングセルおよび少なくとも補助セルによって協調して実行される、
装置。
［Ｃ１８］
前記１つまたは複数のデータ通信を行うための手段は、前記サービングセルおよび少なくとも補助セルによって共同で行われる１つまたは複数の送信でデータを交換するための手段を備える、
上記Ｃ１７に記載の装置。
［Ｃ１９］
前記１つまたは複数のデータ通信を行うための手段は、前記サービングセルと前記補助セルとの間で実行される調整ビームフォーミングに基づいて前記サービングセルまたは前記補助セルのうちの１つとの１つまたは複数のデータ送信を行うための手段を備える、
上記Ｃ１７に記載の装置。
［Ｃ２０］
前記１つまたは複数の制御通信を行うための手段は、前記サービングセルからＰＤＣＣＨ（Physical Downlink Control Channel）割当て情報を受信するための手段を備える、
上記Ｃ１７に記載の装置。
［Ｃ２１］
前記１つまたは複数の制御通信を行うための手段は、前記サービングセルまたは補助セルのうちの少なくとも１つとの、ＰＤＣＣＨ割当て情報とは別個の制御情報の１つまたは複数の送信を行うための手段を備える、
上記Ｃ１７に記載の装置。
［Ｃ２２］
コンピュータに、サービングセルとの１つまたは複数の制御通信を行わせるコードと、
コンピュータに、１つまたは複数のデータ通信を行わせるコードと、を備えるコンピュータ可読媒体、
を備え、それぞれのデータ通信は、前記サービングセルおよび少なくとも補助セルによって協調して実行される、
コンピュータプログラム製品。
［Ｃ２３］
コンピュータに１つまたは複数のデータ通信を行わせる前記コードは、コンピュータに、前記サービングセルおよび少なくとも補助セルによって共同で行われる１つまたは複数の送信でデータを交換させるコードを備える、
上記Ｃ２２に記載のコンピュータプログラム製品。
［Ｃ２４］
コンピュータに１つまたは複数のデータ通信を行わせる前記コードは、コンピュータに、前記サービングセルと補助セルとの間で実行される共同ビームフォーミングに基づいて前記サービングセルまたは前記補助セルのうちの１つとの１つまたは複数のデータ送信を行わせるコードを備える、
上記Ｃ２２に記載のコンピュータプログラム製品。
［Ｃ２５］
前記コンピュータに１つまたは複数の制御通信を行わせるコードは、コンピュータに、前記サービングセルからＰＤＣＣＨ（Physical Downlink Control Channel）割当て情報を受信させるコードを備える、
上記Ｃ２２に記載のコンピュータプログラム製品。
［Ｃ２６］
前記コンピュータに１つまたは複数の制御通信を行わせるコードは、コンピュータに、前記サービングセルまたは補助セルのうちの少なくとも１つとの、ＰＤＣＣＨ割当て情報とは別個の制御情報の１つまたは複数の送信を行わせるコードを備える、
上記Ｃ２２に記載のコンピュータプログラム製品。
［Ｃ２７］
少なくとも１つのユーザ機器ユニット（ＵＥ）と制御情報を交換することと、
前記少なくとも１つのＵＥと交換された前記制御情報を補助ネットワークセルに示すことと、
を備える方法。
［Ｃ２８］
前記交換することは、前記少なくとも１つのＵＥにＰＤＣＣＨ（Physical Downlink Control Channel）割当て情報を送信することを備える、
上記Ｃ２７に記載の方法。
［Ｃ２９］
前記少なくとも１つのＵＥに送信されるデータを識別することと、
前記補助ネットワークセルとの協調送信で、前記識別されたデータの少なくとも一部を前記少なくとも１つのＵＥに送信することと、
をさらに備える、上記Ｃ２７に記載の方法。
［Ｃ３０］
前記送信することは、
前記識別されたデータの少なくとも一部を前記補助ネットワークセルに供給することと、
前記補助ネットワークセルとの共同送信で、前記補助ネットワークセルに供給されたそれぞれのデータを前記少なくとも１つのＵＥに送信することと、
を備える、上記Ｃ２９に記載の方法。
［Ｃ３１］
前記供給することは、Ｘ２インターフェースを介してデータを前記補助ネットワークセルに供給することを備える、
上記Ｃ３０に記載の方法。
［Ｃ３２］
前記少なくとも１つのＵＥに対応する制御情報を前記補助ネットワークセルからバックホールインターフェースを介して受信することをさらに備える、
上記Ｃ２９に記載の方法。
［Ｃ３３］
前記バックホールインターフェースは、Ｘ２インターフェースである、
上記Ｃ３２に記載の方法。
［Ｃ３４］
前記少なくとも１つのＵＥに関する肯定応答（ＡＣＫ）情報を前記補助ネットワークセルから受信することと、
少なくとも部分的に前記受信されたＡＣＫ情報に基づいて、データまたは制御情報のうちの前記少なくとも１つに関する送信スケジュールを生成することと、
前記送信スケジュールに基づいて、指定された情報を送信することであって、前記指定された情報は、データまたは制御情報のうちの少なくとも１つを備える、送信することと、
をさらに備える、上記Ｃ２７に記載の方法。
［Ｃ３５］
少なくとも１つの端末および補助ネットワークセルに関連するデータを格納するメモリと、
前記少なくとも１つの端末と制御情報を交換し、交換された制御情報を前記補助ネットワークセルに示すように構成されたプロセッサと、
を備えるワイヤレス通信装置。
［Ｃ３６］
前記少なくとも１つの端末と交換される前記制御情報は、ＰＤＣＣＨ（Physical Downlink Control Channel）割当て情報を備える、
上記Ｃ３５に記載のワイヤレス通信装置。
［Ｃ３７］
前記プロセッサは、前記少なくとも１つの端末に送信されるデータを識別し、前記補助ネットワークセルとの協調送信で、前記識別されたデータの少なくとも一部を前記少なくとも１つの端末に送信するようにさらに構成される、
上記Ｃ３５に記載のワイヤレス通信装置。
［Ｃ３８］
前記プロセッサは、前記識別されたデータの少なくとも一部を前記補助ネットワークセルに供給し、前記補助ネットワークセルとの共同送信で、前記補助ネットワークセルに供給されたそれぞれのデータを送信するようにさらに構成される、
上記Ｃ３７に記載のワイヤレス通信装置。
［Ｃ３９］
前記プロセッサは、Ｘ２インターフェースを介してデータを前記補助ネットワークセルに供給するようにさらに構成される、
上記Ｃ３８に記載のワイヤレス通信装置。
［Ｃ４０］
前記プロセッサは、前記少なくとも１つの端末に対応する制御情報を前記補助ネットワークセルからバックホールインターフェースを介して受信するようにさらに構成される、
上記Ｃ３５に記載のワイヤレス通信装置。
［Ｃ４１］
前記バックホールインターフェースは、Ｘ２インターフェースである、
上記Ｃ４０に記載のワイヤレス通信装置。
［Ｃ４２］
少なくとも１つの端末との１つまたは複数の制御通信を行うための手段と、
前記１つまたは複数の制御通信を補助セルに示すための手段と、
を備える装置。
［Ｃ４３］
前記１つまたは複数の制御通信を行うための手段は、前記少なくとも１つの端末にＰＤＣＣＨ（Physical Downlink Control Channel）割当て情報を送信するための手段を備える、
上記Ｃ４２に記載の装置。
［Ｃ４４］
前記少なくとも１つの端末に通信されるデータを識別するための手段と、
前記補助セルとの少なくとも１つの協調送信で、前記少なくとも１つの端末に前記データを通信するための手段と、
をさらに備える、上記Ｃ４２に記載の装置。
［Ｃ４５］
前記データを通信するための前記手段は、
前記識別されたデータの少なくとも一部を前記補助セルに供給するための手段と、
前記補助セルとの少なくとも１つの共同送信で、前記補助セルに供給されたそれぞれのデータを通信するための手段と、
を備える、上記Ｃ４４に記載の装置。
［Ｃ４６］
バックホールリンクを使用して、データまたは制御シグナリングのうちの少なくとも１つを前記補助セルと交換するための手段をさらに備える、
上記Ｃ４２に記載の装置。
［Ｃ４７］
前記バックホールリンクは、Ｘ２インターフェースである、
上記Ｃ４６に記載の装置。
［Ｃ４８］
コンピュータに、少なくとも１つのユーザ機器ユニット（ＵＥ）との１つまたは複数の制御通信を行わせるコードと、
コンピュータに、前記１つまたは複数の制御通信を補助ネットワークセルに示させるコードと、
を備えるコンピュータ可読媒体、
を備えるコンピュータプログラム製品。
［Ｃ４９］
コンピュータに１つまたは複数の制御通信を行わせる前記コードは、コンピュータに、前記少なくとも１つのＵＥにＰＤＣＣＨ（Physical Downlink Control Channel）割当て情報を送信させるコードを備える、
上記Ｃ４８に記載のコンピュータプログラム製品。
［Ｃ５０］
前記コンピュータ可読媒体は、
コンピュータに、前記少なくとも１つのＵＥに通信されるデータを識別させるコードと、
コンピュータに、前記補助ネットワークセルとの少なくとも１つの協調送信で、前記データを前記少なくとも１つのＵＥに通信させるコードと、
をさらに備える、上記Ｃ４８に記載のコンピュータプログラム製品。
［Ｃ５１］
コンピュータに前記データを通信させる前記コードは、
コンピュータに、前記識別されたデータの少なくとも一部を前記補助ネットワークセルに供給させるコードと、
コンピュータに、前記補助ネットワークセルとの少なくとも１つの共同送信で、前記補助ネットワークセルに供給されたそれぞれのデータを通信させるコードと、
を備える、上記Ｃ５０に記載のコンピュータプログラム製品。
［Ｃ５２］
前記コンピュータ可読媒体は、コンピュータに、バックホールリンクを使用して、データまたは制御シグナリングのうちの少なくとも１つを前記補助ネットワークセルと交換させるコードをさらに備える、
上記Ｃ４８に記載のコンピュータプログラム製品。
［Ｃ５３］
少なくとも１つのユーザ機器ユニット（ＵＥ）に関連する制御情報を前記少なくとも１つのＵＥのサービングネットワークセルと交換することと、
前記交換された制御情報に従って通信することと、
を備える方法。
［Ｃ５４］
前記交換することは、前記少なくとも１つのＵＥに関連するＰＤＣＣＨ（Physical Downlink Control Channel）割当て情報を受信することを備える、
上記Ｃ５３に記載の方法。
［Ｃ５５］
前記通信することは、前記ＰＤＣＣＨ割当て情報と異なる制御情報を前記ＰＤＣＣＨ割当て情報に従って前記少なくとも１つのＵＥと交換することを備える、
上記Ｃ５４に記載の方法。
［Ｃ５６］
前記通信することは、
前記少なくとも１つのＵＥに送信されるデータを識別することと、
前記識別されたデータの少なくとも一部を前記交換された制御情報に従って前記少なくとも１つのＵＥに送信することと、
をさらに備える、上記Ｃ５４に記載の方法。
［Ｃ５７］
前記識別することは、前記少なくとも１つのＵＥに送信される前記データの少なくとも一部を前記少なくとも１つのＵＥの前記サービングネットワークセルから受信することを備える、
上記Ｃ５６に記載の方法。
［Ｃ５８］
前記識別することは、前記サービングネットワークセルからＸ２インターフェースを介してデータを受信することをさらに備える、
上記Ｃ５７に記載の方法。
［Ｃ５９］
前記送信することは、前記少なくとも１つのＵＥの前記サービングネットワークセルとの協調送信で、それぞれのデータを前記少なくとも１つのＵＥに送信することを備える、
上記Ｃ５７に記載の方法。
［Ｃ６０］
前記少なくとも１つのＵＥに関連する制御情報を生成することと、
前記少なくとも１つのＵＥの前記サービングネットワークセルに、前記サービングネットワークセルへのバックホールインターフェースを介して、前記生成された制御情報をトンネリングすることと、
をさらに備える、上記Ｃ５３に記載の方法。
［Ｃ６１］
前記バックホールインターフェースは、Ｘ２インターフェースである、
上記Ｃ６０に記載の方法。
［Ｃ６２］
前記交換することは、前記少なくとも１つのＵＥで観察される干渉に関連する制御情報を交換することを備え、
前記通信することは、
前記少なくとも１つのＵＥで観察される前記干渉が実質的に最小化されるように、１つまたは複数の送信パラメータを選択することと、
前記１つまたは複数の選択された送信パラメータに従って通信することと、
を備える、
上記Ｃ５３に記載の方法。
［Ｃ６３］
前記１つまたは複数の送信パラメータは、送信電力パラメータまたはビーム方向パラメータのうちの少なくとも１つを備える、
上記Ｃ６２に記載の方法。
［Ｃ６４］
少なくとも１つのユーザ機器ユニット（ＵＥ）および前記少なくとも１つのＵＥのサービングセルに関連するデータを格納するメモリと、
前記少なくとも１つのＵＥに関連する制御情報を前記サービングセルと交換し、前記交換された制御情報に従って通信するように構成されたプロセッサと、
を備えるワイヤレス通信装置。
［Ｃ６５］
前記交換される制御情報は、前記少なくとも１つのＵＥに関連するＰＤＣＣＨ（Physical Downlink Control Channel）割当て情報を備える、
上記Ｃ６４に記載のワイヤレス通信装置。
［Ｃ６６］
前記プロセッサは、前記少なくとも１つのＵＥに送信されるデータを識別し、前記交換された制御情報に従って、前記サービングセルとの協調送信で、前記少なくとも１つのＵＥに前記識別されたデータの少なくとも一部を送信するようにさらに構成される、
上記Ｃ６４に記載のワイヤレス通信装置。
［Ｃ６７］
前記プロセッサは、データまたは制御情報のうちの少なくとも１つをバックホールインターフェースを介して前記サービングセルと交換するようにさらに構成される、
上記Ｃ６４に記載のワイヤレス通信装置。
［Ｃ６８］
前記バックホールインターフェースは、Ｘ２インターフェースである、
上記Ｃ６７に記載のワイヤレス通信装置。
［Ｃ６９］
前記プロセッサは、前記少なくとも１つのＵＥで観察される干渉に関連する制御情報を前記サービングセルと交換し、前記少なくとも１つのＵＥで観察される前記干渉が実質的に最小化されるように、１つまたは複数の送信パラメータを選択し、前記１つまたは複数の選択された送信パラメータに従って通信するようにさらに構成される、
上記Ｃ６４に記載のワイヤレス通信装置。
［Ｃ７０］
少なくとも１つの端末に関連する制御情報の、前記少なくとも１つの端末のサービングセルとの１つまたは複数の通信を行うための手段と、
前記１つまたは複数の制御通信に少なくとも部分的に基づいて、それぞれの後続通信を管理するための手段と、
を備える装置。
［Ｃ７１］
前記制御情報の１つまたは複数の通信を行うための手段は、前記少なくとも１つの端末に関連するＰＤＣＣＨ（Physical Downlink Control Channel）割当て情報の１つまたは複数の通信を行うための手段を備える、
上記Ｃ７０に記載の装置。
［Ｃ７２］
前記それぞれの後続通信を管理するための手段は、
前記少なくとも１つの端末に送信されるデータを識別するための手段と、
制御情報の１つまたは複数の送信に従って、前記サービングセルとの協調送信で、前記少なくとも１つの端末に前記識別されたデータの少なくとも一部を送信するための手段と、
を備える、上記Ｃ７０に記載の装置。
［Ｃ７３］
データまたは制御情報のうちの少なくとも１つをバックホールインターフェースを介して前記サービングセルと交換するための手段をさらに備える、
上記Ｃ７０に記載の装置。
［Ｃ７４］
前記制御情報の１つまたは複数の通信を行うための手段は、前記少なくとも１つの端末で観察される干渉に関連する制御情報を交換するための手段を備え、
前記それぞれの後続通信を管理するための手段は、
前記少なくとも１つの端末で観察される前記干渉が実質的に最小化されるように、１つまたは複数の送信パラメータを選択するための手段と、
前記１つまたは複数の選択された送信パラメータに従って前記それぞれの後続通信を行うための手段と、
を備える、
上記Ｃ７０に記載の装置。
［Ｃ７５］
コンピュータに、少なくとも１つのユーザ機器ユニット（ＵＥ）に関連する制御情報の、前記少なくとも１つのＵＥのサービングネットワークセルとの１つまたは複数の通信を行わせるコードと、
コンピュータに、前記１つまたは複数の制御通信に少なくとも部分的に基づいてそれぞれの後続通信を管理させるコードと、
を備えるコンピュータ可読媒体、
を備えるコンピュータプログラム製品。
［Ｃ７６］
コンピュータに制御情報の１つまたは複数の通信を行わせる前記コードは、コンピュータに、前記少なくとも１つのＵＥに関連するＰＤＣＣＨ（Physical Downlink Control Channel）割当て情報の１つまたは複数の通信を行わせるコードを備える、
上記Ｃ７５に記載のコンピュータプログラム製品。
［Ｃ７７］
コンピュータにそれぞれの後続通信を管理させる前記コードは、
コンピュータに、前記少なくとも１つのＵＥに送信されるデータを識別させるコードと、
コンピュータに、前記サービングネットワークセルとの協調送信で、前記識別されたデータの少なくとも一部を前記少なくとも１つのＵＥに送信させるコードと、
をさらに備える、上記Ｃ７５に記載のコンピュータプログラム製品。
［Ｃ７８］
前記コンピュータ可読媒体は、コンピュータに、データまたは制御情報のうちの少なくとも１つをバックホールインターフェースを介して前記サービングネットワークセルと交換させるコードをさらに備える、
上記Ｃ７５に記載のコンピュータプログラム製品。
［Ｃ７９］
コンピュータに制御情報の１つまたは複数の通信を行わせるコードは、コンピュータに、前記少なくとも１つのＵＥで観察される干渉に関連する制御情報を交換させるコードを備え、
コンピュータにそれぞれの後続通信を管理させる前記コードは、
前記少なくとも１つのＵＥで観察される前記干渉が実質的に最小化されるように、コンピュータに、１つまたは複数の送信パラメータを選択させるコードと、
コンピュータに、前記１つまたは複数の選択された送信パラメータに従って前記それぞれの後続通信を行わせるコードと、
を備える、
上記Ｃ７５に記載のコンピュータプログラム製品。
［Ｃ８０］
情報の第１のセットを少なくとも１つのユーザ機器ユニット（ＵＥ）と交換することと、なお、前記情報の第１のセットは、制御シグナリングまたはデータのうちの少なくとも１つを備える、
情報の第２のセットをコアネットワークエンティティと交換すること、なお、前記情報の第２のセットは、制御シグナリングまたはデータのうちの少なくとも１つを備える、
前記情報の第１のセットまたは前記情報の第２のセットのうちの少なくとも１つを補助ネットワークセルに示すことと、
を備える方法。
［Ｃ８１］
前記情報の第２のセットを交換することは、前記少なくとも１つのＵＥに送信されるデータを前記コアネットワークエンティティから受信することを備える、
上記Ｃ８０に記載の方法。
［Ｃ８２］
前記補助ネットワークセルとの協調送信で、前記少なくとも１つのＵＥに送信されるデータを通信することをさらに備える、
上記Ｃ８１に記載の方法。
［Ｃ８３］
前記情報の第２のセットを交換することは、前記情報の第１のセットの少なくとも一部を前記コアネットワークエンティティと交換することを備える、
上記Ｃ８０に記載の方法。
［Ｃ８４］
前記情報の第２のセットを交換することは、前記情報の第２のセットをＳ１−Ｕインターフェースを介して前記コアネットワークエンティティと交換することを備える、
上記Ｃ８０に記載の方法。
［Ｃ８５］
前記情報の第１のセットまたは前記情報の第２のセットのうちの少なくとも１つは、ＰＤＣＣＨ（Physical Downlink Control Channel）割当て情報を備える、
上記Ｃ８０に記載の方法。
［Ｃ８６］
少なくとも１つのユーザ機器ユニット（ＵＥ）、関連するコアネットワーク、および補助ネットワークセルに関連するデータを格納するメモリと、
制御シグナリングまたはデータの第１のセットを前記少なくとも１つのＵＥと交換し、制御シグナリングまたはデータの第２のセットを前記関連するコアネットワークと交換し、前記制御シグナリングまたはデータの第１のセットあるいは前記制御シグナリングまたはデータの第２のセットの少なくとも一部を前記補助ネットワークセルに示すように構成されたプロセッサと、
を備えるワイヤレス通信装置。
［Ｃ８７］
前記プロセッサは、前記少なくとも１つのＵＥに送信されるデータを前記関連するコアネットワークと交換するようにさらに構成される、
上記Ｃ８６に記載のワイヤレス通信装置。
［Ｃ８８］
前記プロセッサは、前記補助ネットワークセルとの協調送信で、前記少なくとも１つのＵＥに送信されるデータを通信するようにさらに構成される、
上記Ｃ８７に記載のワイヤレス通信装置。
［Ｃ８９］
前記プロセッサは、前記少なくとも１つのＵＥと交換された前記制御シグナリングまたはデータの少なくとも一部を前記関連するコアネットワークに通信するようにさらに構成される、
上記Ｃ８６に記載のワイヤレス通信装置。
［Ｃ９０］
前記プロセッサは、Ｓ１−Ｕインターフェースを使用して制御シグナリングまたはデータを前記関連するコアネットワークと交換するようにさらに構成される、
上記Ｃ８６に記載のワイヤレス通信装置。
［Ｃ９１］
情報の第１のセットを少なくとも１つのユーザ機器ユニット（ＵＥ）と交換するための手段と、なお、前記情報の第１のセットは、制御シグナリングまたはデータのうちの少なくとも１つを備える、
情報の第２のセットをコアネットワークエンティティと交換するための手段と、なお、前記情報の第２のセットは、制御シグナリングまたはデータのうちの少なくとも１つを備える、
前記情報の第１のセットまたは前記情報の第２のセットのうちの少なくとも１つを補助ネットワークセルに示すための手段と、
を備える装置。
［Ｃ９２］
前記情報の第２のセットを交換するための手段は、前記少なくとも１つのＵＥに送信されるデータを前記コアネットワークエンティティから受信するための手段を備える、
上記Ｃ９１に記載の装置。
［Ｃ９３］
前記情報の第２のセットを交換するための手段は、前記情報の第１のセットの少なくとも一部を前記コアネットワークエンティティと交換するための手段を備える、
上記Ｃ９１に記載の装置。
［Ｃ９４］
コンピュータに、情報の第１のセットを少なくとも１つのユーザ機器ユニット（ＵＥ）と交換させるコードと、なお、前記情報の第１のセットは、制御シグナリングまたはデータのうちの少なくとも１つを備える、
コンピュータに、情報の第２のセットをコアネットワークと交換させるコードと、なお、前記情報の第２のセットは、制御シグナリングまたはデータのうちの少なくとも１つを備える、
コンピュータに、前記情報の第１のセットまたは前記情報の第２のセットのうちの少なくとも１つを補助ネットワークセルに示させるコードと、
を備えるコンピュータ可読媒体、
を備えるコンピュータプログラム製品。
［Ｃ９５］
前記コンピュータに情報の第２のセットを交換させるコードは、コンピュータに、前記少なくとも１つのＵＥに送信されるデータを前記コアネットワークから受信させるコードを備える、
上記Ｃ９４に記載のコンピュータプログラム製品。
［Ｃ９６］
前記コンピュータに情報の第２のセットを交換させるコードは、コンピュータに、情報の前記第１のセットの少なくとも一部を前記コアネットワークと交換させるコードを備える、
上記Ｃ９４に記載のコンピュータプログラム製品。
［Ｃ９７］
制御シグナリングまたはデータの第１のセットを少なくとも１つのユーザ機器ユニット（ＵＥ）と交換することと、
制御シグナリングまたはデータの第２のセットをコアネットワークエンティティと交換することと、
交換された制御シグナリングまたはデータの少なくとも１つの表示を前記少なくとも１つのＵＥのサービングネットワークセルに通信することと、
を備える方法。
［Ｃ９８］
前記制御シグナリングまたはデータの第２のセットを交換することは、前記少なくとも１つのＵＥに送信されるデータを前記コアネットワークエンティティから受信することを備える、
上記Ｃ９７に記載の方法。
［Ｃ９９］
前記少なくとも１つのＵＥの前記サービングネットワークセルとの協調送信で、前記少なくとも１つのＵＥにデータを送信することをさらに備える、
上記Ｃ９８に記載の方法。
［Ｃ１００］
前記制御シグナリングまたはデータの第２のセットを交換することは、前記制御シグナリングまたはデータの第１のセットの少なくとも一部を前記コアネットワークエンティティに中継することを備える、
上記Ｃ９７に記載の方法。
［Ｃ１０１］
前記制御シグナリングまたはデータの第２のセットを交換することは、前記制御シグナリングまたはデータの第２のセットをＳ１−Ｕインターフェースを介して前記コアネットワークエンティティと交換することを備える、
上記Ｃ９７に記載の方法。
［Ｃ１０２］
前記制御シグナリングまたはデータの第１のセットは、ＰＤＣＣＨ（Physical Downlink Control Channel）割当て情報と異なる制御シグナリングを備える、
上記Ｃ９７に記載の方法。
［Ｃ１０３］
少なくとも１つのユーザ機器ユニット（ＵＥ）、関連するコアネットワーク、およびサービングネットワークセルに関連するデータを格納するメモリと、
制御シグナリングまたはデータを前記少なくとも１つのＵＥと交換し、制御シグナリングまたはデータを前記関連するコアネットワークと交換し、前記少なくとも１つのＵＥまたは前記関連するコアネットワークと交換された前記制御シグナリングまたはデータの少なくとも一部を前記サービングネットワークセルに示すように構成されたプロセッサと、
を備えるワイヤレス通信装置。
［Ｃ１０４］
前記プロセッサは、前記少なくとも１つのＵＥに送信されるデータを前記関連するコアネットワークから入手するようにさらに構成される、
上記Ｃ１０３に記載のワイヤレス通信装置。
［Ｃ１０５］
前記プロセッサは、前記サービングネットワークセルとの協調送信で、前記少なくとも１つのＵＥに送信されるデータを通信するようにさらに構成される、
上記Ｃ１０４に記載のワイヤレス通信装置。
［Ｃ１０６］
前記プロセッサは、前記少なくとも１つのＵＥと交換された制御シグナリングまたはデータの少なくとも一部を前記関連するコアネットワークに通信するようにさらに構成される、
上記Ｃ１０３に記載のワイヤレス通信装置。
［Ｃ１０７］
制御シグナリングまたはデータの第１のセットを少なくとも１つのユーザ機器ユニット（ＵＥ）と交換するための手段と、
制御シグナリングまたはデータの第２のセットをコアネットワークと交換するための手段と、
交換された制御シグナリングまたはデータの少なくとも１つの表示を前記少なくとも１つのＵＥのサービングネットワークセルに通信するための手段と、
を備える装置。
［Ｃ１０８］
前記制御シグナリングまたはデータの第２のセットを交換するための手段は、前記少なくとも１つのＵＥに送信されるデータを前記コアネットワークから受信するための手段を備える、
上記Ｃ１０７に記載の装置。
［Ｃ１０９］
前記少なくとも１つのＵＥの前記サービングネットワークセルとの協調送信で前記少なくとも１つのＵＥにデータを送信するための手段をさらに備える、
上記Ｃ１０８に記載の装置。
［Ｃ１１０］
前記制御シグナリングまたはデータの第２のセットを交換するための手段は、前記制御シグナリングまたはデータの第１のセットの少なくとも一部を前記コアネットワークに中継するための手段を備える、
上記Ｃ１０７に記載の装置。
［Ｃ１１１］
コンピュータに、情報の第１のセットを少なくとも１つのユーザ機器ユニット（ＵＥ）と交換させるコードと、なお、前記情報の第１のセットは、制御シグナリングまたはデータのうちの少なくとも１つを備える、
コンピュータに、情報の第２のセットをコアネットワークと交換させるコードと、なお、前記情報の第２のセットは、制御シグナリングまたはデータのうちの少なくとも１つを備える、
コンピュータに、前記情報の第１のセットまたは前記情報の第２のセットの少なくとも一部をサービングネットワークセルに示させるコードと、
を備えるコンピュータ可読媒体、
を備えるコンピュータプログラム製品。
［Ｃ１１２］
コンピュータに情報の第２のセットを交換させる前記コードは、コンピュータに、前記少なくとも１つのＵＥに送信されるデータを前記コアネットワークから受信させるコードを備え、
コンピュータに情報の第１のセットを交換させる前記コードは、コンピュータに、前記サービングネットワークセルとの協調送信で前記少なくとも１つのＵＥに送信されるデータの少なくとも一部を通信させるコードを備える、
上記Ｃ１１１に記載のコンピュータプログラム製品。
［Ｃ１１３］
コンピュータに情報の第２のセットを交換させる前記コードは、コンピュータに、前記情報の第１のセットの少なくとも一部を前記コアネットワークと交換させるコードを備える、
上記Ｃ１１１に記載のコンピュータプログラム製品。
【外国語明細書】
2014078989000001.pdf